(57)【要約】【目的】  道路脇、公園等の適所に簡易に設置でき、平面視長方形状塵収容領域１０Ａを確保するように組付けた使用状態では、残飯等の混在する塵を投入しても、烏等の食い散らしを招く恐れがく、しかも、不使用時には垂直状左右支柱間に、コンパクトに折畳んで収容できるカバーパネル付折畳み塵箱を提供する。【構造】  適宜間隔で配した垂直状左右支柱１１の対向面に、該垂直状左右支柱１１と略等高で、その間隔の約半分長さの略長方形状左右側扉３３と、長方形状左右前扉３５を屈折可能にヒンジ３４、３６付けし、該両扉３３、３５の組付けにより、垂直状左右支柱１１間で、その前側に平面視略長方形状塵収容領域１０Ａを構成し、該平面視略長方形状塵収容領域１０Ａの頂部開口を、垂直状左右支柱１１頂部の軸受ブラケット２０に基軸４１で軸承したカバーパネル４０で開閉可能にする一方、垂直状左右支柱１１間に折畳んだ長方形状の左右側扉３３と左右前扉３５の前側に、前記カバーパネル４０を垂下させて、それらを被覆、保護する。【選択図】  図１
2005047706.tif 000002
【特許請求の範囲】
【請求項１】
道路脇、公園、広場等の塵箱設置可能な適所に、適宜間隔を存して配設する適宜高さの垂直状左右支柱（１１）対向面に、当該垂直状左右支柱（１１）と略等高で、該垂直状左右支柱（１１）間隔の約半分長の、略長方形状左右側扉（３３）の垂直状一側縁をヒンジ（３４）付けし、その垂直状他側縁に該略長方形状左右側扉（３３）と略同形同大の長方形状左右前扉（３５）の垂直状一側縁をヒンジ（３６）付けし、該長方形状左右前扉（３５）の垂直状他側縁に、脱可能な係止手段（３８、３９）を設けると共に、前記垂直状左右支柱（１１）頂部に、前記略長方形状左右側扉及び長方形状左右前扉（３３：３５）の組付けにより、当該垂直状左右支柱（１１）前側に構成される平面視略長方形状塵収容領域（１０Ａ）頂部開口の開閉と、当該垂直状左右支柱（１１）の対向面間に折畳み、収容した前記略長方形状左右側扉及び長方形状左右前扉（３３：３５）の前側を被覆、保護するカバーパネル（４０）の基軸（４１）を回動可能に取付けたことを特徴とするカバーパネル付折畳み塵箱。
【請求項２】
前記垂直状左右支柱（１１）対向面に、垂直状一側縁をヒンジ（３４）付けした略長方形状左右側扉（３３）の上縁をやや前下がり状に形成すると共に、上縁がやや前下がり状をなす略長方形状左右側扉（３３）の垂直状他側縁に、該垂直状他側縁と略等高の長方形状左右前扉（３５）の一側縁をヒンジ（３６）付けしたことを特徴とする請求項１記載のカバーパネル付折畳み塵箱。
【請求項３】
前記垂直状左右支柱（１１）の頂部外側に、当該垂直状左右支柱（１１）の前後方向幅よりやや広幅で、その頂縁部がやや前下がり状をなす軸受ブラケット（２０）を取付け、該軸受ブラケット（２０）の前下がり状上縁（２２）の上部及び下部に、前記カバーパネル（４０）の側機枠（４２）基部係支ピン（４３）の係合する上下凹部（２３：２４）を、また、同軸受ブラケット（２０）の広幅頭部下位の水平状溝（２５）下縁中央部に、前記カバーパネル（４０）基軸（４１）の係合する凹部（２６）を夫々形成したことを特徴とする請求項１又は２の何れかに記載のカバーパネル付折畳み塵箱。
【請求項４】
適宜広さの塵箱配設領域に載置する水平状ベース（１５）の垂直状起立部（１７）、又は当該麈箱配設領域の垂直状壁面（Ｖ）から延びる水平状支持具（５１）端部の垂直筒状部（５２）の一方又は双方により、垂直状左右支柱（１１）の下部又は中央部を支承したことを特徴とする請求項１〜３の何れかに記載のカバーパネル付折畳み塵箱。
【請求項５】
前記垂直状左右支柱（１１）の後面側に設けた長方形状奥パネル（３０）の頂枠内側中央部に、前記垂直状左右支柱（１１）の対側面に垂直状一側縁をヒンジ（３４）付けした略長方形状左右側扉（３３）の、前記垂直状左右支柱（１１）間への折畳み収容状態における垂直状他側縁側を吸着するマグネット（３１）を設けると共に、該垂直状左右支柱（１１）間への折畳み収容状態における前記略長方形状左右側扉（３３）及び長方形状左右前扉（３５）の前側に垂下して、それらを被覆、保護する前記カバーパネル（４０）の締めバンド（３２）端部を、前記垂直状左右支柱（１１）上のバンド掛（１９）に係脱可能にしたことを特徴とする請求項１〜４の何れかに記載のカバーパネル付折畳み塵箱。
【請求項６】
前記垂直状左右支柱（１１）の頂部外側に、少なくとも、当該垂直状左右支柱（１１）の前面より前側に進出する広幅頭部を備える軸受ブラケット（２０Ｂ）を取付け、該軸受ブラケット（２０Ｂ）の広幅頭部前側で、当該垂直状左右支柱（１１）前面の略直上位において、前記カバーパネル（４０）の基端よりやや前側で、その横方向に延びる基軸（４１）を回動可能に支承したことを特徴とする請求項１、２、４、５の何れかに記載のカバーパネル付折畳み塵箱。
【発明の詳細な説明】
【発明の詳細な説明】
【発明の属する技術の分野】
【０００１】  この発明はカバーパネル付折畳み塵箱、殊に、道路脇、公園、広場等、所要広さを確保できる場所に設置可能で、しかも、不使用時等にはコンパクトに折畳めるカバーパネル付折畳み塵箱に関するものである。
【背景技術】
【０００２】  従来の折畳み塵箱としては、例えば、実開２０００−２２６１０１号公報記載のものがあり、四隅に支柱を立設して、箱体を形成し、対向する一方の支柱を移動自在とし、対向する他方の支柱を固定支柱とし、底板は折り畳む方向に山形に折曲し得るように形成し、前記移動支柱を固定支柱の方へ移動させて折り畳み可能にした塵箱において、複数個に分割した側板同志をスライド可能に連結した側板を、前記底板の折り畳み部近傍の略中央部にロープを連結し、該ロープを略垂直状に上昇させた屋根部から塵箱外へ出して引張リ、伸縮可能にしたものである。【０００３】  実開平５−４２２０１号公報には、不使用時にはコンパクトに折り畳める一方、使用時には簡単な操作でボックス状塵箱として組付けて、使用できるようにした折畳み式塵箱が記載される。このものは、浅い箱状をなし、下部に設置部を有する背面パネルと、同背面パネルと対向する浅い箱状をなし、下部に脚を有する正面パネルと、前後端が前記背面パネルと正面パネル内側に連結され、中間にヒンジを有する折畳み自在な一対の側パネルと、基端部が背面パネル若しくは正面パネルの内側下部に枢着された起伏自在な底パネルを備えるものである。【０００４】  特開２０００−７１０１号公報には、底板を簡単な機構により、折曲するか持ち上げられる折畳み可能な塵箱が記載され、移動支柱を固定支柱側への移動により折畳み可能な麈箱を、前板若しくは後板を、前記両移動支柱若しくは固定支柱に回動し得るように連結し、該前板若しくは後板下部に底板持ち上げ具を連接して、前板若しくは後板を外側へ所定角度倒し、底板持ち上げ具を所定角度回転させ、底板を山形に折曲させるかスロープ状に上昇させて、折畳むものである。
【従来技術における解決すべき課題】
【０００５】  前記のような従来の折畳み塵箱、例えば、実開２０００−２２６１０１号報記載の折畳み式塵箱は、四隅に立設して箱体を形成し、対向する一方の支柱を移動自在、対向する他方の支柱を固定支柱とし、底板は折畳む方向に山形に折曲し得るように形成し、前記移動支柱を固定支柱側へ移動させる折畳み可能な塵箱について、複数個に分割した側板同志をスライド可能に連結した側板を、前記底板の折畳まれる部分近傍の略中央部にロープを連結し、該ロープを略垂直状に上昇させた屋根部から塵箱外に出して引張ることにより、不使用時の伸縮可能な麈箱をかなりコンパクトに折畳める反面、その構成がかなり複雑になるきらいがあった。
【０００６】  前記実開平５−４２２０１号公報記載の折畳み可能な塵箱にあっては、浅い箱状をなし下部に設置部を有する背面パネルと、該背面パネルと対向する浅い箱状をなし、下部に脚を有する正面パネルと、前後端が前記背面パネルと正面パネル内側に連結され、中間にヒンジを有する折り畳み自在な一対の側パネルと、基端部が背面パネル若しくは正面パネルの内側下部に枢着された起伏自在パネルを備えるため、不使用時にはコンパクトな形態をなし、使用時には簡単な操作でボックス状の塵箱として組付け、使用できるものの、その構成が相応に複雑化するきらいがあった。
【０００７】  特開２０００−７１０１号公報記載の折畳み可能な塵箱にあっては、移動支柱を固定支柱側へ移動させて、折畳み可能にした塵箱の前板若しくは後板を、前記移動支柱若しくは固定支柱に回動し得るように連結し、当該前板若しくは後板下部に底板持ち上げ具を連接し、前板若しくは後板を外側へ所定の角度倒すことにより、底板持ち上げ具を所定の角度回転させて、底板を山形に折曲させるかスロープ状に上昇させて折り畳めるものの、その構造がかなり複雑で、しかも、その底板が傾斜状に折畳まれる傾向にあることとの関連で、折畳み後の塵箱が必ずしも充分コンパクトにはならなかった。
【０００８】  なお、実開２０００−２２６１０１号報記載の折畳み式塵箱、実開平５−４２２０１号公報記載の折畳み可能な塵箱、特開２０００−７１０１号公報記載の折畳み可能な塵箱の何れも、平らな地面に設けること前提にし、仮に、これ等を不平らな地面上に配設するとその操作が面倒になり、例えば、塵回収の際、その前面を全開し難くする恐れさえあり、また、それらの何れも構造がかなり複雑になるという問題があった。
【０００９】  本発明者は、前記のような従来例の塵箱に残る課題を解決するために、構造が簡単で道路脇、公園、広場等の、所要の広さを確保できる適所に設置でき、しかも、不使用時にはコンパクトに折畳め、取扱いが容易で、ローコストで提供できるカバーネットロール付折り畳み塵箱を既に提案している（特願２００２−７１９０２号参照）が、その後の検討により、既提案の垂直状左右支柱の頂部に設けたカバーネットロールに代えて、垂直状左右支柱の頂部に、基軸により回動可能なカバーパネルを設けることにより、一層簡易な構造に、また、必要に応じて前記垂直状左右支柱の中央部を、垂直状壁面から延びる水平状支持具等で支承することにより、当該垂直状左右支柱の水平状ベースの載置スペースが欠落する領域にも、取付け可能なカバーパネル付折畳み塵箱を提供しようとするものである。
【課題の解決手段】
【００１０】  この発明は、前記のような課題を解決するため、道路脇、公園、広場等の塵箱設置可能な適所に、適宜間隔を存して配設する適宜高さの垂直状左右支柱１１対向面に、当該垂直状左右支柱１１と略等高で、該垂直状左右支柱１１間隔の約半分長の、略長方形状左右側扉３３の垂直状一側縁をヒンジ３４付けし、その垂直状他側縁に該略長方形状左右側扉３３と略同形同大の長方形状左右前扉３５の垂直状一側縁をヒンジ３６付けし、該長方形状左右前扉３５の垂直状他側縁に、脱可能な係止手段３８、３９を設けると共に、前記垂直状左右支柱１１頂部に、前記略長方形状左右側扉及び長方形状左右前扉３３：３５の組付けにより、当該垂直状左右支柱１１前側に構成される平面視略長方形状塵収容領域１０Ａ頂部開口の開閉と、当該垂直状左右支柱１１の対向面間に折畳み、収容した前記略長方形状左右側扉及び長方形状左右前扉３３：３５の前側を被覆、保護するカバーパネル４０の基軸４１を回動可能に取付けたカバーパネル付折畳み塵箱である。
【００１１】  また、前記垂直状左右支柱１１対向面に、垂直状一側縁をヒンジ３４付けした略長方形状左右側扉３３の上縁をやや前下がり状に形成すると共に、上縁がやや前下がり状をなす略長方形状左右側扉３３の垂直状他側縁に、該垂直状他側縁と略等高の長方形状左右前扉３５の一側縁をヒンジ３６付けしたものであり、また、前記垂直状左右支柱１１の頂部外側に、当該垂直状左右支柱１１の前後方向幅よりやや広幅で、その頂縁部がやや前下がり状をなす軸受ブラケット２０を取付け、該軸受ブラケット２０の前下がり状上縁２２の上部及び下部に、前記カバーパネル４０の側機枠４２基部係支ピン４３の係合する上下凹部２３：２４を、また、同軸受ブラケット２０の広幅頭部下位の水平状溝２５下縁中央部に、前記カバーパネル４０基軸４１の係合する凹部２６を夫々形成したものである。
【００１２】  さらに、適宜広さの塵箱配設領域に載置する水平状ベース１５の垂直状起立部１７、又は当該塵箱配設領域の垂直状壁面Ｖから延びる水平状支持具５１端部の垂直筒状部５２の一方又は双方により、垂直状左右支柱１１の下部又は中央部を支承したものであり、また、前記垂直状左右支柱１１の後面側に設けた長方形状奥パネル３０の頂枠内側中央部に、前記垂直状左右支柱１１の対側面に垂直状一側縁をヒンジ３４付けした略長方形状左右側扉３３の、前記垂直状左右支柱１１間への折畳み収容状態における垂直状他側縁側を吸着するマグネット３１を設けると共に、該垂直状左右支柱１１間への折畳み収容状態における前記略長方形状左右側扉３３及び長方形状左右前扉３５の前側に垂下して、それらを被覆、保護する前記カバーパネル４０の締めバンド３２端部を、前記垂直状左右支柱１１上のバンド掛１９に係脱可能にしたものである。
【００１３】  また、前記垂直状左右支柱１１の頂部外側に、少なくとも、当該垂直状左右支柱１１の前面より前側に進出する広幅頭部を備える軸受ブラケット２０Ｂを取付け、該軸受ブラケット２０Ｂの広幅頭部前側で、当該垂直状左右支柱１１前面の略直上位において、前記カバーパネル４０の基端よりやや前側で、その横方向に延びる基軸４１を回動可能に支承したものである。
【発明の作用】
【００１４】  請求項１の発明によれば、カバーパネル付折畳み麈箱１０の垂直状左右支柱１１を、道路脇、公園、広場等の、所要広さの塵箱収容領域確保可能な適所に略垂直状に起立させた後、該垂直状左右支柱１１に垂直状一側縁をヒンジ３４付けした略長方形状左右側扉３３と、その垂直状他側縁部に垂直状一側縁をヒンジ３６付けした長方形状左右前扉３５により、当該垂直状左右支柱１１の前側（図１では手前側）に平面視略長方形状塵収容領域１０Ａを確保可能に組付けると共に、当該麈収容領域１０Ａの頂部開口を、前記垂直状左右支柱１１の頂部に基軸４１を回動可能に設けたカバーパネル４０により開放して、当該塵収容領域１０Ａに塵を収容した後、同頂部開口をカバーパネル４０で閉塞する。
【００１５】  カバーパネル４０をその基軸４１周りに反時計方向（図２）に回動して塵収容領域１０Ａの頂部開口１０Ａを開放し、若しくは、同頂部開口１０Ａを開放することなく、長方形状左右前扉３５を開放し、又は長方形状左右前扉３５と略長方形状左右側扉３３を同時に開放して、当該カバーパネル付折畳み塵箱１０内の塵を排出し、例えば、塵収集車等に収容して、適所へ搬送する。当該塵収容領域１０Ａの頂部開口が閉塞される場合には、前記カバーパネル４０をその基軸４１回りの反時計方向に回して開放させ、必要に応じて当該塵収容領域１０Ａ内を清掃した後、略長方形状左右側扉３３及び長方形状左右前扉３５を、ヒンジ３４：３６回りに屈折させ、前記垂直状左右支柱１１の対向面間に折畳み、収容する。
【００１６】  一方、前記塵収容領域１０Ａの頂部開口を開閉するカバーパネル４０を、その基軸４１周りの時計方向に回し、垂直状左右支柱１１の対向面間に折畳み収容した、略長方形状左右側扉３３及び長方形状左右前扉３５の前側に垂下させてそれらを被覆、保護し、当該カバーパネル付折畳み塵箱１０の次回の使用に備える。
【００１７】  請求項２の発明によれば、垂直状左右支柱１１の対向面に、垂直状一側縁をヒンジ３４付けした略長方形状左右側扉３３の上縁をやや前下がり状にすると共に、上縁がやや前下がり状をなす長方形状左右側扉３３の垂直状他側縁に、該垂直状他側縁と略等高の長方形状左右前扉３５の垂直状一側縁をヒンジ３６付けして、頂部が先下がり状をなすカバーパネル付折畳み塵箱１０を提供する。
【００１８】  請求項３の発明によれば、垂直状左右支柱１１頂部外側の軸受ブラケット２０下部の水平状溝２５に沿って、カバーパネル４０の基軸４１両端部を移動させると共に、同カバーパネル４０の側機枠４２基部の係支ピン４３と、軸受ブラケット２０の前下がり状上縁２２の、上凹部２３又は下凹部２４の何れかの係合により、当該塵収容領域域１０Ａの頂部開口を前記カバーパネル４０で閉塞、小開放、全開放、並びに垂直状左右支柱１１、１１間へ折畳み収容した略長方形状左右側扉３３及び長方形状左右前扉３５前面の被覆、保護等をする。
【００１９】  請求項４の発明によれば、当該カバーパネル付折畳み塵箱配設領域の、載置（地）面Ｇ上の水平状ベース１５から垂直状に起立する起立部１７、又は当該折畳み塵箱配設置領域の垂直状壁面Ｖから延びる水平状支持具５１端部の垂直筒状部５２の一方又は双方により、垂直状左右支柱１１の下部又は中央部の一方又は双方を支承し、該垂直状左右支柱１１の対向面にヒンジ３４：３６を介して、略長方形状側扉３３及び長方形状前扉３５を屈折可能に連接し、当該垂直状左右支柱１１前側への平面視略長方形状塵収容領域１０Ａの組付け、又は同垂直状左右支柱１１間への略長方形状側扉３３及び長方形状前扉３５の折畳み、収納等、前記とほぼ同様な作用をする。
【００２０】  請求項５の発明によれば、垂直状左右支柱１１の後面側に長方形状奥パネル３０枠を取付け、該長方形状奥パネル３０枠の頂部内側中央部に、当該垂直状左右支柱１１対側面に垂直状一側縁を屈折可能にヒンジ３４付けした略長方形状左右側扉３３の、当該垂直状左右支柱１１間への折畳み収容状態における垂直状他側縁側を吸着するマグネット３１を設けたことにより、当該垂直状左右支柱１１の対向面間に折畳み収容した略長方形状左右側扉３３の垂直状他側縁側が、同マグネット３１により吸着、固定され、また、該垂直状左右支柱１１間に折畳み収容した前記略長方形状左右側扉３３と長方形状左右前扉３５を、それらの前側に垂下するカバーパネル４０に掛けた締めバンド３２の端部を、垂直状左右支柱１１上のバンド掛１９に掛けて、同カバーパネル４０によるそれらの被覆、保護状態を確保する。
【００２１】  請求項６の発明によれば、前記垂直状左右支柱１１の頂部外側に、少なくとも、当該垂直状左右支柱１１の前面より前側に進出する広幅頭部を備える軸受ブラケット２０Ｂを取付け、該軸受ブラケット２０Ｂの広幅頭部前側で、当該垂直状左右支柱１１前面の略直上位において、前記カバーパネル４０の基端よりやや前側で、その横方向に延びる基軸４１を回動可能に支承したことにより、当該カバーパネル４０の回動中心が、軸受ブラケット２０Ｂに回転のみする、一層簡易な支承構成により、所要の機能を奏する。
【実施態様】
【００２２】  以下、この発明に係るカバーパネル付折畳み塵箱の第１〜４実施態様及びその変形例を、添付の図１〜１０を参照して説明する。なお、第１〜４実施態様及びそれらの変形例に共通する部分には、同一名称、同一符号を用いる。
【第１実施態様】
【００２３】  図１〜７はこの発明に係るカバーパネル付折畳み塵箱の第１実施態様を略示するもので、図１はその垂直状左右支柱１１、１１間にヒンジ３４、３４：３６、３６付けした、略長方形状左右側扉３３、３３と長方形状左右前扉３５、３５により、平面視略長方形状塵収容領域１０Ａを構成した状態における、カバーパネル付折畳み塵箱１０頂部開口の小開状態の正面説明図、図２はそのカバーパネル付折畳み塵箱１０頂部開口の小開状態の側面説明図、図３は垂直状左右支柱１１、１１頂部の、軸受ブラケット２０の拡大側面説明図で、図３ではカバーパネル４０による塵収容領域１０Ａ頂部開口の閉塞状態４０２、小開状態４０３、全開状態４０４、及び略長方形状左右側扉３３、３３と長方形状左右前扉３５、３５の折畳み収容状態におけるカバーパネル４０の垂下状態４０１、即ち、当該カバーパネル４０の各種動作状態の概略を併せて略示した。
【００２４】  図４はカバーパネル付折畳み塵箱１０の折畳み状態の側面説明図、図５はその折畳み状態の平面説明図、図６はその略長方形状左右側扉３３、３３と長方形状左右前扉３５、３５を垂直状左右支柱１１、１１間に折畳み収納した状態の正面説明図で、同図６の左半分は垂下状カバーパネル４０左半分の網目表示を省略し、上縁が先下がり状をなす略長方形状左側扉３３及び長方形状左前扉３５の折畳み状態を略示し、図７は略長方形状左側扉３３と長方形状左前扉３５のヒンジ３６接合部の拡大平面説明図である。
【第１実施態様の構造】
【００２５】  第１施態様のカバーパネル付折畳み塵箱１０は、水平状ベース１５から略垂直状に起立する適宜高さ（例えば、約２０ｃｍ）の起立部１７を下部に挿入して、垂直状に起立する適宜高さ（例えば、約９０〜１００ｃｍ）の一対の垂直状左右支柱１１、１１を、適宜間隔を存して、例えば、道路脇、公園、広場等の、所要の広さの塵収容領域を備える適所に配設する。１３は適宜間隔を存して配設した垂直状左右支柱１１、１１（なお、この垂直状左右支柱１１の前後方向幅は、例えば、約１０〜１５ｃｍ程度に構成する）の頂部後側を結ぶ連結板、１６は水平状ベース１５を固定する垂直状アンカーボルト、１８は垂直状支柱１１下部の弧状溝、１８Ｂは固定ボルトで、上固定ボルト１８Ｂは弧状溝１８を通して前記起立部１７にねじ込み、載置（地）面Ｇの多少の傾斜に関わらず、水平状ベース１５、１５から起立する垂直状起立部１７、１７により、垂直状左右支柱１１、１１を略垂直状に支承可能に取付ける。
【００２６】  １９は垂直状左右支柱１１、１１上のバンド掛で、後述の垂下状カバーパネル４０外側に掛けた締めバンド３２の端部を掛けて、該カバーパネル４０による垂直状左右支柱１１、１１間へ折畳み収容した略長方形状側扉３３、長方形状前扉３５の被覆、保護状態を確保する。２０は垂直状左右支柱１１の頂部外側に設けた軸受ブラケットで、軸受ブラケット２０はその前後方向（図３では左右方向）の幅をその基部２１前後方向（図３では左右方向）の幅（この例では垂直状左右支柱１１の前後方向幅と略同幅）よりやや広く（図示例では約２倍）、しかも、少なくともその一部が、当該垂直状左右支柱１１の前側に突出するように構成する。２２は軸受ブラケット２０（広幅部）の前（図３では右）下がり状頂縁、２３、２４は軸受ブラケット２０（広幅部）の前（図３では右）下がり状頂縁２２の上下凹部、２５は軸受ブラケット２０（広幅部）の下部に設けた水平状溝で、同水平状溝２５には基軸４１の左右両端部を、該水平状溝２５の長さ方向の移動が可能で、かつ、回動可能に挿入する。
【００２７】  ２６は水平状溝２５の下縁中央の凹部、２７は軸受ブラケット２０の下部２１を垂直状支柱１１の頂部外側に取付け、固定する取付ねじ、２９はカバーパネル４０側縁部（側機枠）の基端より僅か中央寄りに離間する位置に設けた係止ピン４３（図２参照）のピン受、３０は垂直状左右支柱１１の対向面間に設けた奥パネルで、奥パネル３０はラスボード等により所要強度を備える穴付板として構成でき、奥パネル３０によりカバーパネル付折畳み塵箱１０の奥（後）部を構成する。
【００２８】  ３３は一側縁（図１では奥側）が垂直状左右支柱１１と略等高で、適宜巾（例えば、垂直状左右支柱１１、１１間隔の略半分）を有する略長方形状左右側扉で、この略長方形状左右側扉３３の垂直状一側縁は、垂直状左右支柱１１の互いに対向する内側面の後（図５では上）側に、屈折可能にヒンジ３４付けされる。この略長方形状左右側扉３３は、垂直状左右支柱１１の互いに対向する内側面から、当該垂直状左右支柱１１の手前（図５では下）側に、略直角状（垂直状左右支柱１１の対向する内側面と平行方向：図１の左側部では手前側）に屈折、突出する。なお、図１、２、６では略長方形状左右側扉３３の頂辺が僅かに前下がり状をなすのものを略示したが、この略長方形状左右側扉３３の頂部は水平状をなすよう構成することもできる（図示省略）。
【００２９】  ３５は長方形状左右前扉で、長方形状左右前扉３５の一側縁（図１では左右側縁）が、前記略長方形状側扉３３の垂直状他側縁（図１では手前側）にヒンジ３６付けされる。３５Ｂ、３８、３９は長方形状左右前扉３５の垂直状他端縁に設けたガイド、係止具、掛金である。カバーパネル４０基部（図１では下部）に設けた基軸４１の端部が軸受ブラケット２０の水平状溝２５に回動可能で、その長さ方向に移動可能に支承される。
【００３０】  ４３はカバーパネル４０の側機枠４２の基端から、その中央寄りに僅かに離間するように設けた係止ピンで、係止ピン４３は軸受ブラケット２０の前下がり状上縁２２の上凹部２３、下凹部２４、係止ピン受２９の何れかと交互に係合し、夫々の状態（図３の左上方へ起立する全開状態４０４、右上方へ僅かに起立する小開状態４０３、及びその垂下状態４０１を確保する。４５はカバーパネル４０の端縁部左右に設けた取手である。
【００３１】  略長方形状左右側扉３３は、図１、２のように、垂直状左右支柱１１の対向面とほぼ平行し、同垂直状左右支柱１１の前側（図１では手前側、図２では右側）への突出と、図５、６の垂直状左右支柱１１、１１の対向方向に向い、当該垂直状左右支柱１１、１１間に折畳み、収容可能にヒンジ３４、３４：３６、３６付けする。
【第１実施態様の作用】
【カバーパネル付折畳み塵箱の配設】
【００３２】  カバーパネル付折畳み塵箱１０の全構成部材を、道路脇、公園、広場等の所要広さを確保できる適所へ搬送し、その載置（地）面Ｇ上に水平状ベース１５、１５を適宜間隔で配し、必要があればアンカーボルト１６、１６で固定する。水平状ベース１５、１５からの垂直状起立部１７、１７に、垂直状左右支柱（例えば、筒状）１１、１１の下部を挿入して垂直状に起立させる。仮に、載置（地）面Ｇに多少の傾斜があれば、垂直状左右支柱１１、１１を下固定ボルト１８Ｂ周りに揺動させて垂直状に支承し、上固定ボルト１８Ｂで弧状溝１８周りの適所に固定し、その垂直支承状態を確保する。
【００３３】  垂直状左右支柱１１、１１対向面の後（図５では上）側に奥パネル３０を固定し、同垂直状左右支柱１１、１１対向面の前（図５では手）側内側に、略長方形状左右側扉３３、３３の垂直状一側縁をヒンジ３４、３４付けし、その垂直状他側縁に長方形状左右前扉３５、３５の垂直状一側縁をヒンジ３６、３６付けし、垂直状左右支柱１１、１１の前（図５では下）側に、平面視長方形状塵収容領域１０Ａ（図１）を確保し｛この際、長方形状左右前扉３５、３５が略同一垂直面（垂直状左右支柱１１、１１の配設方向と略平行）上に位置し、その垂直状端縁部のガイド３５Ｂの当接により｝、同一垂直面状をなす長方形状左右前扉３５、３５端縁部の係止具３８に掛金３９を掛けて、平面視長方形状塵収容領域１０Ａを確保する。
【００３４】  垂直状左右支柱１１、１１の対向面間に折畳み、収容した略長方形状左右側扉３３、３３と長方形状左右前扉３５、３５の前側に、カバーパネル４０を垂下させ（図３〜６）、その前側に図６のように配した、例えば、ゴム製の締めバンド３２の端部を、垂直状左右支柱１１、１１上のバンド掛１９、１９に掛け、垂下状カバーパネル４０１により、当該折畳み収容状態の略長方形状左右側扉３３、長方形状左右前扉３５の被覆、保護状態を確保する。
【００３５】  また、垂直状左右支柱１１、１１の頂部外側に設けた軸受ブラケット２０、２０の水平状溝２５、２５にカバーパネル４０基端に設けた基軸４１の端部を挿入し、同カバーパネル４０の側機枠４２、４２の基端から適度に離間する基部に設けた係止ピン４３、４３を、軸受ブラケット２０、２０の前下がり頂縁２２、２２の上凹部２３、２３又は下凹部２４、２４に係止可能に取付け、同カバーパネル４０を図３の破細線で略示するように、左上方に起立する塵収容領域１０Ａ頂部開口の全開状態４０４（基軸４１は水平状溝２５の図３左側に位置し、係止ピン４３は上凹部２３に係合）、右上方へ僅かに上昇する同頂部開口の小開状態４０３（基軸４１は水平状溝２５の図３の左側に位置し、係止ピン４３は下凹部２４に係合する）、僅かに右下がりする同頂部開口の閉塞状態４０２｛基軸４１は水平状溝２５下縁中央の凹部２６に係合し、カバーパネル４０は略長方形状側扉３３の前下がり状上縁に載置され（当接し）、係止ピン４３は軸受ブラケット２０の右側縁を右側に越える図３の最右側に位置し、カバーパネル４０の自重によりその頂部開口の閉塞状態が確保される｝、下方へ垂下し、垂直状左右支柱１１、１１の前側に位置し、当該垂直状左右支柱１１、１１の対向面間に折畳み、収容される略長方形上左右側扉３３、３３と長方形状左右前扉３５、３５の前側への垂下状態４０１（基軸４１は水平状溝２５の図３右側に位置し、カバーパネル４０は同位置の基軸４１から垂下する）を、夫々確保する。
【折畳み塵箱の組付け】
【００３６】  垂直状左右支柱１１、１１の対向面間に折畳み収容した略長方形状左右側扉３３、３３と長方形状左右前扉３５、３５を展開して、垂直状左右支柱１１、１１前側へ平面視略長方形じょうの、塵収容領域１０Ａを構成するように、このカバーパネル付折畳み塵箱１０を組付けるには、まず、取手４５で垂下状カバーパネル４０１を基軸４１周りの反時計方向に回して全開位置４０４、又は小開位置４０３にした後、係止具３８から掛金３９を外し、長方形状左右前扉３５、３５のガイド３５Ｂによる当接状態を解除して手前に引き、長方形状左前扉３５をヒンジ３６周りの反時計方向（図６）に回動させて引出し（長方形状右前扉３５は逆向き）、次いで、略長方形状左側扉３３をヒンジ３４周りの時計方向（同図）に回し、垂直状左支柱１１の内側面方向にする。
【００３７】  その後、長方形状左前扉３５をヒンジ３６周りの反時計方向に、さらに（図６の折畳み状態から約１８０°）回動させて図１左半部のようなＬ状にする。長方形状右前扉３５と略長方形状右側扉３３を、夫々のヒンジ３６、３４まわりの前記とは逆方向回動により、図１の右半部のような逆Ｌ状にし、ガイド３５Ｂの当接により、両者が同一垂直面状をなす長方形状左右前扉３５、３５の隣接する垂直状他側縁の掛止具３８に掛金３９を掛け、垂直状左右支柱１１、１１前側に折畳み塵箱１０を組付け、平面視略長方形状を塵収容領域１０Ａを確保し、直ちに塵を投入するか、又は折畳み塵箱１０頂部開口全開状態のカバーパネル４０４を、取手４５で小開状態４０３にして、同塵収容領域１０Ａに塵を投入した後、その頂部開口をカバーパネル４０で閉塞状態４０２にする。
【００３８】  このカバーパネル付折畳み麈箱１０のカバーパネル４０は、平面視長方形状塵収容領域１０Ａ頂部開口の全開状態４０４、小開状態４０３、閉塞状態４０２の何れにあっても、当該カバーパネル４０基端部の基軸４１端部が、垂直状左右支柱１１、１１頂部の広幅軸受ブラケット２０、２０下部の水平状溝２５に沿う前後動と、その中央部下縁の凹部２６への係合と、同カバーパネル４０側機枠４２の、基端から中央部寄りに適度に離間し、側方へ突出する係止ピン４３、４３の、当該軸受ブラケット２０、２０の前下がり頂縁２２、２２の、上凹部２３、２３又は下凹部２４、２４との係合で、当該カバーパネル４０の前記各状態、即ち、麈収容領域１０Ａ頂部開口の全開状態４０４、小開状態４０３、閉塞状態４０２等を夫々確保し、また、垂直状左右支柱１１、１１の対抗面間に収容した略長方形状左右側扉３３、３３、長方形状左右前扉３５、３５の前側への垂下状態４０１が、何れも安定的に確保される。なお、カバーパネル４０側機枠４２上の係止ピン４３、４３は、同カバーパネル４０による塵収容領域１０Ａ頂部開口の閉塞状態４０２においては、実質上作用しない。
【折畳み塵箱内の塵排出】
【００３９】  垂直状左右支柱１１、１１間で、その前側に組み付けられたカバーパネル付折畳み塵箱１０（塵収容領域１０Ａ）内に収容した塵の排出は、同一垂直面上に位置する長方形状左右前扉３５、３５の掛金３９を掛止金３８から外し、長方形状左右前扉３５、３５を、略長方形状左右側扉３３、３３他側縁のヒンジ３６、３６周りの時計方向（図１の左側扉３３）又は反時計方向（図１の右側扉３３）に回動させて、同折畳み塵箱１０の前側（図１）を開放し、若しくはこの左右前扉３３、３３の開放に併せてカバーパネル４０を小開状態４０３、又は全開状態４０４にした後排出し、図示しない塵収集車等に収容し、適所へ搬送して所要の処理する。
【塵排出後の長方形状側扉、前扉の折畳み収納】
【００４０】  塵排出後の折畳み塵箱１０は、その略長方形状左右側扉３３、３３及び長方形状左右前扉３５、３５を、ヒンジ３４、３４：３６、３６周りに屈折させて、図５、６（図６では左半部：図６に図示しない右半部も同様）のように垂直状左右支柱１１、１１間に折畳み、磁石３１により略長方形状左右側扉３３、３３の他側縁側を吸着して、その折畳み状態を確保する一方、長方形状左右前扉３５、３５の前（図５では下）側に垂下するカバーパネル４０１によりそれらを被覆、保護し、この垂下状態のカバーパネル４０１の前（図６では手前）側に掛けた締めバンド３２の端部を、垂直状左右支柱１１、１１上のバンド掛１９、１９に掛け、仮に、様々な方向からの風雨、時には不心得者の悪戯等に基づく不用意な外力が加えらても、長方形状左右側扉３３、長方形状左右前扉３５、垂下状のカバーパネル４０１等をふらつかせず、それらの安定した被覆、保護状態を確保し、次回の使用に備える。
【００４１】  この塵収容領域１０Ａの頂部開口を閉塞するカバーパネル４０を、取手４５により回動させて塵収容領域１０Ａの頂部開口を、小開状態４０３又は全開状態４０４にして塵を投入した後、同カバーパネル４０により同頂部開口を閉塞して次回の使用を待つのが通常ではあるが、仮に、この間におけるその頂部開口の閉塞状態をロックする必要があれば、例えば、当該カバーパネル４０による前記頂部開口の閉塞状態をロックする、適宜構造のロック手段（図示省略）を設ける。
【第１実施態様の変形例１】
【００４２】  第１実施態様の垂直状左右支柱１１、１１後側に設けた長方形状奥（固定）パネル３０、略長方形状左右側扉３３、３３、長方形状左右前扉３５、３５及び垂直状左右支柱１１、１１の頂部に回動可能に取付けたカバーパネル４０は、夫々の周縁部を略長方形状枠により構成し、この長方形状枠に、略同形ネットを張架し、又は複数の棒、管等を小間隔に配して構成し、若しくは、同長方形状枠に無数の穴付又は穴なし薄板を張架することにより、略長方形状パネルとして構成することができ（図示省略）、何れの略長方形状パネルにあっても、前記第１実施態様ものと略同様な作用をし、しかも、係る略長方形状パネル構成にすれば、所要強度を備えるカバーパネル付折畳み塵箱を、比較的軽量で、しかもローコストで提供できる。
【第１実施態様の変形例２】
【００４３】  また、図示しないが、前記長方形状奥パネル３０の下枠、略長方形状左右側扉３３、３３の下枠、長方形状左右扉３５、３５の下枠の夫々に、適宜間隔で穴、又は雌ねじ穴を設ければ、仮に、前記垂直状左右支柱１１、１１間に固定又はヒンジ付け等した、前記長方形状奥パネル３０の下枠、略長方形状左右側扉３３、３３の下枠、長方形状左右扉３５、３５の下枠等の下縁と、当該カバーパネル付折畳みゴミ箱の載置（地）面Ｇとの間に多少の隙間や凹凸部等がある場合、夫々の下部に相応の耐久性を備える可撓性スカートを取付けることにより、当該可撓性スカートによる当該隙間部を閉塞し、又は凹凸部との当接に基づく変形等により、両者間の隙間等を吸収できる外、前記ゴミ収容領域１０Ａ内に収容した塵の当該隙間部からの不用意な流出を阻止でき、また、当該隙間部等からの烏、小鳥、猫等の侵入を阻止し、ひいては、仮に、当該折畳み塵箱１０内に、残飯等の混入する塵が投入された場合にも、烏等により食い散らされる恐れのないものを提供する。
なお、前記のような可撓性スカートは、その下縁を当該カバーパネル付折畳み塵箱載置（地）面Ｇの形状、例えば、傾斜状、波状等の適宜形状に即するように、剪み、カッターナイフ等の適宜工具により、当該折畳み塵箱１０設置領域現場で、必要、かつ、適切な修正等を簡易、迅速に行える。
【第２実施態様】
【００４４】  この発明の第２実施態様のカバーパネル付折畳み塵箱４０Ｘを、その垂直状左右支柱１１、１１の頂部外側に、軸受ブラケット２０Ｂをねじ２７、２７止めしたものの、要部側面図の図８を参照して説明する。なお、前記第１実施態様と共通する部分には同一名称、同一符号を用い、また、前記第１実施態様と実質上一致する構造の図示及び作用の説明等は省略する。
【００４５】  図８において、２２Ｂは垂直状左右支柱１１の頂部外側（図８では手前側）にねじ２７止めした広幅頭部２０Ｂの前下がり頂縁、２３Ｂは前下がり頂縁２２Ｂの上凹部、２５ＢＢは広幅頭部２０Ｂの前（図８では右）側下部に設けた基軸穴で、基軸穴２５ＢＢは垂直状左右支柱１１、１１の前（図８では右）側面の直上位よりやや前側に位置するように設ける。４０Ｂは塵収容領域１０Ａの頂部開口を閉塞するカバーパネル、４０ＢＢはカバーパネル４０Ｂの基部、４１Ｂはカバーパネル４０Ｂの側機枠（図１の符号４２賦与部参照）の端縁から、当該カバーパネル４０Ｂの基部４０ＢＢの長さ相応量離間する位置に設けた基軸で、同基軸４１Ｂ端部が基軸穴２５ＢＢに挿入される。
【００４６】  このカバーパネル４０Ｂは基軸穴２５ＢＢに挿入された基軸４１Ｂ回りに回動し、同基軸穴２５ＢＢ内の基軸４１Ｂからカバーパネル４０Ｂが垂下する垂下状態４０Ｂ１、塵収容領域（図１の符号１０Ａ賦与部参照）の頂部開口を閉塞する閉塞状態４０Ｂ２、同塵収容領域の頂部開口を全開し、当該カバーパネル４０Ｂの基軸４１Ｂ取付部からその中央部寄りに適度に離間する係止ピン４３が、軸受ブラケット２０Ｂの前下がり頂縁２２Ｂの、上凹部２３Ｂに係合する全開状態４０Ｂ４の、何れかの位置を占めるように動作する。
【００４７】  ４０ＢＢはカバーパネル４０Ｂの基部で、この基部４０ＢＢにより、  カバーパネル４０Ｂによる塵収容領域（図１の符号１０Ａ賦与部参照）頂部開口の閉塞状態４０Ｂ２において、同カバーパネル４０Ｂ２の基部４０ＢＢにより、当該塵収容領域１０Ａの、垂直状左右支柱１１、１１の対向面間に構成され（位置す）る領域の頂部開口を被覆（被覆）し、第２実施態様の基軸４１Ｂはカバーパネル４０Ｂの基端よりその基部４０ＢＢの長さ相応量内側に設けられる。
【塵収容領域１０Ａ頂部開口の全開状態４０Ｂ４確保】
【００４８】  第２実施態様の塵収容領域１０Ａ頂部開口を全開するカバーパネル４０Ｂの全開状態４０Ｂ４が、図８のように急角度で起立する（例えば、カバーパネル付塵箱４０Ｘが垂直状壁面Ｖ近接位置に配設される）場合において、仮に、係る全開状態４０Ｂ４のカバーパネル４０Ｂに、図８の左側から右側へ向う外力が作用すれば、同カバーパネル４０Ｂ４が、基軸４１Ｂ回りの時計方向に回動して塵収容領域１０Ａ頂部開口を閉塞状態４０Ｂ２にする恐れがある。しかし、係る問題は、以下に略説するように、軸受ブラケット２０Ｂの前下がり頂縁２２Ｂの上凹部２３Ｂ周りに、支持ピン４７を設けると共に、同支持ピン４７回りに回動し、前記係止ピン４３に適時係合するフック４８を設けることにより解決される。
【００４９】  支持ピン４７は軸受ブラケット２０Ｂの前下がり頂縁２２Ｂの、上凹部２３Ｂよりやや左下部（図８）に設けられる。フック４８は支持ピン４７に可動可能に設けられ、同フック４８を支持ピン４７周りの時計方向（図８）に回して、前記上凹部２３Ｂに係合するカバーパネル４０Ｂ４の、側機枠（４２）上の係止ピン４３に同時に系合させることにより、フック４８によりその係合状態を確保できる。このフック４８により、当該カバーパネル付折畳み塵箱４０Ｘの塵収容領域１０Ａの、頂部開口の全開状態４０Ｂ４が積極的に確保され、仮に、このカバーパネル４０Ｂ４の左側に右向きの強風雨等の強圧が作用しても、当該全開カバーパネル４０Ｂ４を時計方向（図８）に回動して、その頂部開口を不用意に閉塞状態４０Ｂ２にする恐れはない。なお、このフック４８と係止ピン４３との係合状態確保のため、当該係止ピン４８をやや重く構成し、その自重により前記係合状態を確保するのがよい。
【００５０】  第２実施態様のカバーパネル４０Ｂは、その基軸４１Ｂを基軸穴２５ＢＢ周りに回動させるもので、この基軸４１Ｂ中心は変位せず（この点で前記第１実施態様のカバーパネル４０とは、その構造：基軸４１の取付け位置を異にする）、第２実施態様では、図３の符号２４賦与部、即ち、第１実施態様のカバーパネル４０の小開状態４０３に対応するカバーパネル４０Ｂによる、塵収容領域１０Ａの頂部開口の小開状態は、この実施態様にはない。
また、この傾斜面２２Ｂの前下がり角は、全開状態のカバーパネル４０Ｂ４の端部が、垂直状壁面Ｖ（図４参照）等に当接しない限り、図８の図示例より充分緩やかな角度のものとして構成することもできる。なお、前記カバーパネル４０Ｂ４の全開状態をその自重により確保できる限り、前記支持ピン４７及びフック４８は省略できる。その予の構造及び作用は、前記第１実施態様と略同様である。
【第３実施態様】
【００５１】  次に、この発明に係るカバーパネル付折畳み塵箱の第３実施態様４０Ｙを、その要部側面説明図の図９を参照して説明する。なお、前記第１実施態様と共通する部分には、同一名称、同一符号を用いる。
第３実施態様のカバーパネル付折畳み塵箱４０Ｙは、垂直状左右支柱１１、１１を、その配設領域の水平状載置（地）面Ｇ上の、水平状ベース１５の起立部１７で支承する他、同配設領域周りの垂直状壁Ｖから延びる、例えば、アンカーボルト（図示省略）で取付けた水平状取付具５１端部の、垂直状穴５３付垂直筒状部５２に固定ボルト５４止めしたものである。なお、垂直状左右支柱１１、１１間に、略長方形状左右側扉（図１の符号３３賦与部参照）及び長方形状左右前扉（図１の符号３５賦与部参照）を折畳み、収納可能にする点は、前記第１実施態様と同様で、この図９は前記第１実施態様の側面説明図の図４に対応する。
【００５２】  第３実施態様のカバーパネル付折畳み塵箱４０Ｙは、その垂直状左右支柱１１を、水平状載置（地）面Ｇ上の、水平状ベース１５の垂直状起立部１７で支承する外、垂直状壁面Ｖから略水平に延びる水平状支持具（例えば、アンカーボルトにより垂直状壁面Ｖに対して、水平状をなすように取付ける）５１端部の、垂直筒状部５２の垂直状穴５３に挿入してボルト５４止めし、垂直状左右支柱１１の必要な取付け強度を確保する。
なお、第３実施態様の垂直状左右支柱１１頂部に取付ける軸受ブラケット２０に代えて、前記第２実施態様の軸受ブラケット２０Ｂをそのまま使用することができる。その予の構造及び作用は、前記第１実施態様と略同様である。
【第４実施態様】
【００５３】  この発明に係るカバーパネル付折畳み塵箱の第４実施態様５０を、図１０の側面説明図を参照して説明する。なお、前記第１実施態様と共通する部分には、同一名称、同一符号を用いる。
第４実施態様のカバーパネル付折畳み塵箱５０は、その垂直状左右支柱１１を、その配設領域の垂直状壁面Ｖから延びる水平状支持具５１端部の、垂直筒状部５２の垂直状穴５３に挿入し、固定ボルト５４止めすると共に、垂直状左右支柱１１間に、略長方形状左右側扉及び長方形状左右前扉（図１０では図示省略：図１の符号３３：３５賦与部参照）を折畳み、収納可能にする。
【００５４】  第４実施態様のカバーパネル付折畳み塵箱５０は、垂直状左右支柱１１を当該カバーパネル付折畳み塵箱５０配設領域の、垂直状壁面Ｖから延びる水平状支持具５１（この例では、上下２箇所）端部の垂直状穴５３付垂直筒状部５２に取付けたもので、この垂直状左右支柱１１の頂部に取付ける軸受ブラケット２０は、前記第１実施態様と同様に構成する他、前記第２実施態様の軸受ブラケット２０Ｂと略同構造のものとして、構成することもできる。その予の構造及び作用は、前記第１実施態様と略同様である。
【効果】
【００５５】  この発明は、前記のような構成を有し、作用をするから、従前の折畳み塵箱と同様な効果を奏する外、次に掲げるような特有の効果を奏する。
【００５６】（１）  請求項１の発明によれば、塵箱設置可能な広さを備える適所に、適宜間隔を存して配設した適宜高さの垂直状左右支柱対向面に、略長方形状左右側扉と長方形状左右前扉をヒンジ付けして、当該垂直状左右支柱の前側に組付ける塵収容領域頂部開口を、当該垂直状左右支柱の頂部に基軸で回動可能に取付けたカバーパネルにより開放して塵を投入した後、当該塵収容領域の頂部開口を閉塞して、他の塵の投入に備える外、適時長方形状左右前扉を開放して、当該塵収容領域に収容した塵を排出した後、即ち、その不使用時には、このカバーパネル付折畳み塵箱のカバーパネルを上方へ回してその頂部開口を開放し、略長方形状左右側扉、長方形状左右前扉を垂直状左右支柱間に折畳み、収容した後、その前側へカバーパネルを垂下させて被覆、保護し、道路脇、公園、広場の傾斜、凹凸の有無等、当該折畳み塵箱載置面の形状等に大きく左右されることなく、垂直状支柱を所要間隔に配設することにより設置でき、烏、猫等の侵入する恐れのないカバーパネル付折畳み塵箱を提供する。
【００５７】（２）  垂直状左右支柱の前側に、略長方形状左右側扉と長方形状左右前扉の組付けにより平面視長方形状ゴミ収容領域ｈを構成し、その頂部開口の開閉と、当該垂直状左右支柱間へ折畳み収容した略長方形状左右側扉及び長方形状左右前扉前側の被覆、保護を兼ねるカバーパネルの基軸を、垂直状左右支柱の頂部に回動可能に装着する、簡易な構成のカバーパネル付折畳み塵箱を提供する。
【００５８】（３）  カバーパネルをその基軸周りの反時計方向に回動して、その塵収容領域の頂部開口を開放し、若しくは、同頂部開口のカバーパネルによる閉塞状態を開放することなく、長方形状左右前扉を開放し、又は長方形状左右前扉と略長方形状左右側扉を同時に開放して、当該カバーパネル付折畳み塵箱内の塵を排出し、例えば、塵収集車等により適所へ搬送して、所要の処理をする一方、当該折畳み塵箱の頂部開口が被覆される場合は、そのカバーパネルを基軸回りの反時計方向に回動して全開、又は小開した後、必要に応じて当該塵収容領域内を清掃し、然る後、略長方形状左右側扉及び長方形状左右前扉をヒンジ回りに屈折して、垂直状左右支柱間に折畳み収容して、コンパクトにする。
【００５９】（４）  塵収容領域の頂部開口を全開又は一部開放するカバーパネルを、その基軸周りの時計方向に回しながら、その基軸を水平状案内溝の前側へ移動させて、垂直状左右支柱の対向面間に折畳み収容した、略長方形状左右側扉及び長方形状左右前扉の前側に垂下させてそれらを被覆、保護し、次回のカバーパネル付折畳み塵箱の組付け、使用に備える。
【００６０】（５）  請求項２の発明によれば、垂直状左右支柱の対向面に、垂直状一側縁をヒンジ付けした略長方形状左右側扉の上縁をやや前下がり状に形成すると共に、該上縁がやや前下がり状をなす略長方形状左右側扉の垂直状他側縁に、当該垂直状他側縁と略等高の長方形状左右前扉の垂直状一側縁をヒンジ付けしたことにより、垂直状左右支柱の頂部に基軸を支承したカバーパネルの自重により、先下がり状をなす塵箱頂部が安定性良く閉塞され、多少の横風等では、当該塵収容領域頂部開口の不用意な開放を招く恐れがない。
【００６１】（６）  請求項３の発明によれば、垂直状左右支柱頂部外側の軸受ブラケット下部の水平状溝に沿って、カバーパネルの基軸両端部を移動させると共に、同カバーパネルの側機枠基部の係支ピンと、軸受ブラケットの前下がり状上縁の上凹部又は下凹部の何れかとの係合により、カバーパネルによる当該折畳み塵箱としての機能を奏する外、当該折畳み塵箱の頂部開口の閉塞状態、小開状態、全開状態、並びに垂直状左右支柱間へ折畳み収容した、略長方形状左右側扉及び長方形状左右前扉の前面に垂下するカバーパネルによる、それらの被覆、保護効果等を期待できる。
【００６２】（７）  請求項４の発明によれば、適宜広さのカバーパネル付折畳み塵箱配設領域の、地（塵箱載置）面上の水平状ベースから起立する垂直状起立部、又は同カバーパネル付折畳み塵箱配設領域周りの垂直状壁面から延びる水平状支持具端部の垂直筒状部の一方又は双方で、垂直状左右支柱の下部又は中央部の一方又は双方を支承することにより、当該カバーパネル付折畳み塵箱配設領域の状態の応じて、仮に、適切な載地面が欠落すれば、その垂直状左右支柱を垂直状壁面から延びる水平状支持具により支持することにより、又は、その地（塵箱載置）面上の水平状ベースから起立する垂直状起立部により、その垂直状左右支柱を支承し、若しくは、それらの双方によりその垂直状左右支柱を支承しすることにより、前記と略同様な効果を期待できる。
【００６３】（８）  請求項５の発明によれば、垂直状左右支柱の背面側に長方形状奥パネルを取付け、該長方形状奥パネル枠の頂部内側中央部に設けたマグネットにより、当該垂直状左右支柱の対向面に一側縁を屈折可能にヒンジ付けした略長方形状左右側扉の、当該垂直状左右支柱間への折畳み、収容状態における垂直状他側縁側を吸着、固定し、また、それらの前側に垂下するカバーパネルの締めバンドによる締付けとの協同により、略長方形状左右側扉、長方形状左右前扉の折畳み、収容状態が、垂下するカバーパネルにより被覆、保護され、仮に、多少の横風等を受けたり、悪戯等をされても、それらのふらつき発生等を招く恐れが少ない。
【００６４】（９）  請求項６の発明によれば、垂直状左右支柱の頂部外側に取付けられ、その前後方向幅よりやや広幅な軸受ブラケット前部の、当該垂直状左右支柱前面の略直上位の基軸穴に、前記カバーパネルの基端よりやや中央部寄りに設けた基軸を回動可能に支承する簡易な構成、即ち、当該垂直状左右支柱のやや前側への略長方形状左右側扉、長方形状左右前扉の組付けによる塵収容領域頂部開口の開閉、当該垂直状左右支柱間への略長方形状左右側扉、長方形状左右前扉の折畳み、収容と、それ等の前側へ垂下させて被覆、保護するカバーパネルを、その基軸穴周りの回動で、その中心を移動させない、簡易な支承構成のカバーパネル付折畳み塵箱を提供する。
【図面の簡単な説明】
【００６５】
【図１】  この発明に係るカバーパネル付折畳み塵箱の第１実施態様における、略長方形状左右側扉と長方形状左右前扉により、平面視略長方形状のゴミ収容領域を組付け、その頂部開口をカバーパネルで僅かに開放する状態の正面説明図である。
【図２】  その平面視略長方形状塵収容領域の頂部開口を、カバーパネルで僅かに開放する状態の側面説明図である。
【図３】  その垂直状左右支柱頂部の、軸受ブラケットの拡大側面説明図で、図３では、カバーパネルによる塵収容領域頂部開口の閉塞状態、小開放状態、全開放状態、及びその折畳み状態における垂下するカバーパネルにより、それらの被覆、略状態を同時に略示した。
【図４】  そのカバーパネル付折畳み塵箱の、折畳み状態の側面説明図である。
【図５】  そのカバーパネル付折畳み塵箱の、折畳み状態の平面説明図である。
【図６】  そのカバーパネル付折畳み塵箱の、折畳み状態の正面説明図で、その左半部は垂下するカバーパネル左半部の、網目部の表示を省略し、垂直状左右支柱間に略長方形状左側扉及び長方形状左前扉を折畳んだ状態を略示した。
【図７】  その略長方形状左側扉と長方形状左前扉の、ヒンジ接合部の拡大平面説明図である。
【図８】  この発明に係るカバーパネル付折畳み塵箱の第２実施態様の、垂直状左右支柱頂部の、図３と同様な軸受ブラケットの拡大側面説明図で、カバーパネルによる平面視長方形状塵収容領域頂部開口の閉塞状態、全開放状態、及びその折畳み状態における同カバーパネル垂下による、それらの被覆、保護状態を、同時に略示した。
【図９】  この発明に係るカバーパネル付折畳み塵箱の第３実施態様の、折畳み収納状態の図４と同様な側面説明図で、その垂直状左右支柱の基部を水平状ベースで支承すると共に、その中央部を水平状支持具端部の垂直筒状部で支承したものを略示した。
【図１０】  この発明に係るカバーパネル付折畳み塵箱の第４実施態様の、折畳み収納状態の、図４と同様な側面説明図で、その垂直状左右支柱の上下２箇所を水平状支持具端部の垂直筒状部により支承したものを略示した。
【符号の説明】
【００６６】１０……カバーパネル付折畳み塵箱（第１実施態様）
１０Ａ……塵収容領域
１１……垂直状支柱
１３……連結板
１５……水平状ベース
１６……アンカーボルト（垂直状）
１７……起立部
１８……弧状溝（垂直状支柱１１下部）
１８Ｂ……固定ボルト
１９……バンド（３２）掛
２０……軸受ブラケット（幅広頭部：第１実施態様）
２０Ｂ……軸受ブラケット（幅広頭部：第２実施態様）
２１……軸受ブラケット２０の下部
２２……前下り頂縁（軸受ブラケット２０の幅広頭部）
２２Ｂ……前下り頂縁（軸受ブラケット２０Ｂの幅広頭部）
２３……上凹部（前下り頂縁２２：実施態様）
２３Ｂ……上凹部（前下り頂縁２２Ｂ上部：第２実施態様）
２４……下凹部前（下り頂縁２２）
２５……水平状溝（広幅頭部２０）
２５ＢＢ……基軸穴（第２実施態様）
２６……凹部（水平状溝２５下縁）
２７……ねじ
２９……係止ピン４３受
３０……奥（固定）パネル
３１……マグネット
３２……締めバンド（垂下状カバーパネル４０、４０Ｂ用）
３３……略長方形状側扉
３４……ヒンジ
３５……長方形状前扉
３５Ｂ……ガイド（長方形状前扉３５の端縁部）
３６……ヒンジ
３８……係止具
３９……掛金
４０……カバーパネル（第１実施態様）
４０Ｂ……カバーパネル（第２実施態様）
４０ＢＢ……カバーパネル４０Ｂの基部
４０Ｘ……カバーパネル付折畳み塵箱（第２実施態様）
４０Ｙ……カバーパネル付折畳み麈箱（第３実施態様）
４１……基軸（第１実施態様）
４１Ｂ……基軸（第２実施態様）
４２……側機枠（カバーパネル４０）
４３……係止ピン（側機枠４２基部寄り）
４５……取手（カバーパネル４０）
４７……支持ピン（フック４８）
４８……フック（係止ピン４３用）
５０……カバーパネル付折畳み塵箱（第４実施態様）
５１……水平状支持具（第３、４実施態様）
５２……垂直筒状部（第３、４実施態様）
５３……直状穴（第３、４実施態様）
５４……固定ボルト（第３、４実施態様）
Ｇ……地面
Ｖ……垂直状壁面
【図１】
2005047706.tif 000003
【図２】
2005047706.tif 000004
【図３】
2005047706.tif 000005
【図４】
2005047706.tif 000006
【図５】
2005047706.tif 000007
【図６】
2005047706.tif 000008
【図７】
2005047706.tif 000009
【図８】
2005047706.tif 000010
【図９】
2005047706.tif 000011
【図１０】
2005047706.tif 000012
【手続補正書】
【提出日】平成16年2月18日(2004.2.18)
【手続補正１】
【補正対象書類名】特許請求の範囲
【補正対象項目名】全文
【補正方法】変更
【補正の内容】
【特許請求の範囲】
【請求項１】
道路脇、公園、広場等の塵箱設置可能な適所に、適宜間隔を存して配設する適宜高さの垂直状左右支柱（１１、１１）の対向面に、当該垂直状左右支柱（１１、１１）と略等高で、前記対向面間隔の略半分長の、略長方形状左右側扉（３３、３３）の垂直状一側縁をヒンジ（３４、３４）付けし、該略長方形状左右側扉（３３、３３）の垂直状他側縁に、該略長方形状左右側扉（３３、３３）と略同形同大の長方形状左右前扉（３５、３５）の垂直状一側縁を、該略長方形状左右側扉（３３、３３）の垂直状他側縁周り外側へ反転可能にヒンジ（３６、３６）付けし、該垂直状左右前扉（３５、３５）の垂直状他側縁に係脱可能な係止手段（３８、３９）を設けると共に、前記垂直状左右支柱（１１、１１）頂部の対向面外側に、その頂部を越えて上方へ伸び、当該垂直状左右支柱（１１、１１）の前後方向幅よりやや広幅の左右軸受ブラケット（２０、２０：２０Ｂ、２０Ｂ）を設け、該やや広幅左右軸受ブラケット（２０、２０：２０Ｂ、２０Ｂ）の下部で、前記垂直状左右支柱（１１、１１）の頂部よりやや上位において、前端部が当該左右軸受ブラケット（２０、２０）の当該垂直状左右支柱（１１、１１）の前面を僅かに越える水平状溝（２５）、又は当該やや広幅左右軸受ブラケット（２０Ｂ、２０Ｂ）の当該垂直状左右支柱（１１、１１）前面を僅かに越える前部の基軸穴（２５ＢＢ）に、前記略長方形状左右側扉（３３、３３）及び長方形状左右前扉（３５、３５）の組付けにより構成される、平面視略長方形状塵収容領域（１０Ａ）の頂部開口の開閉と、前記垂直状左右支柱（１１、１１）の対向面間へ折畳み、収容した前記略長方形状左右側扉（３３、３３）及び長方形状左右前扉（３５、３５）の前側に垂下してそれらを被覆、保護するカバーパネル（４０）の基軸（４１、４１：４１Ｂ、４１Ｂ）を回動可能に設けたことを特徴とするカバーパネル付折畳み塵箱。
【請求項２】
道路脇、公園、広場等の塵箱設置可能な適所に、適宜間隔を存して配した左右スイングベース（１５、１５）の垂直状起立部（１７、１７）、又は当該塵箱設置可能な適所の垂直状壁面（Ｖ）から、適宜間隔を存して伸びる水平状左右支持具（５１、５１）端部の垂直筒状部（５２、５２）の一方又は双方により、前記垂直状左右支柱（１１、１１）の下部又は中央部の一方又は双方を支承したことを特徴とする請求項１記載のカバーパネル付折畳み塵箱。
【請求項３】
前記垂直状左右支柱（１１、１１）の下部に、前記左右スイングベース（１５、１５）の垂直状起立部（１７、１７）を揺動調節して、当該左右スイングベース（１５、１５）をその載置面に添うように当接させて、当該カバーパネル付折畳み塵箱を垂直状に配設させることを特徴とする請求項１又２の何れかに記載のカバーパネル付折畳み塵箱。
【請求項４】
前記垂直状左右支柱（１１、１１）後側に設けた前記長方形状奥パネル（３０）の下枠、前記略長方形状左右側扉（３３、３３）の下枠、長方形状左右前扉（３５、３５）の下枠に、夫々の長さ方向に適宜間隔を存して設けた穴又は雌ねじ穴に、当該各下枠下縁と、前記カバーパネル付折畳み塵箱（１０、４０Ｘ、５０）載置面（Ｇ）間を略閉塞する可撓性スカートを取付けたことを特徴とする請求項１〜３の何れかに記載のカバーパネル付折畳み塵箱。
【請求項５】
前記垂直状左右支柱（１１、１１）後側上部の連結板（１３）の中央部内側に、当該垂直状左右支柱（１１、１１）の対向面に垂直状一側縁をヒンジ（３４、３４）付けした略長方形状左右側扉（３３、３３）の、当該垂直状左右支柱（１１、１１）の対向面間への折畳み収容状態における垂直状他側縁側を吸着するマグネット（３１、３１）を設けると共に、該垂直状左右支柱（１１、１１）の対向面間へ折畳み収容した前記略長方形状左右側扉（３３、３３）及び長方形状左右前扉（３５、３５）の前側に垂下して、それらを被覆、保護する前記カバーパネル（４０）の締めバンド（３２）端部を、前記垂直状左右支柱（１１、１１）上の左右バンド掛け（１９、１９）に係脱可能にしたことを特徴とする請求項１〜４の何れかに記載のカバーパネル付折畳み塵箱。（現請求項５）
【請求項６】
前記垂直状左右支柱（１１、１１）頂部の対向面外側に設けた、やや広幅左右軸受ブラケット（２０、２０）の前下がり状頂縁（２２、２２）に、前記カバーパネル（４０）の左右側機枠（４２、４２）の基軸（４１、４１）よりやや中央側に設けた係止ピン（４３、４３）を、交互に係止させる上下の左右凹部（２３、２３：２４、２４）を、また、前記やや広幅左右軸受ブラケット（２０、２０）下位の前記水平状溝（２５、２５）下縁中央部に、前記カバーパネル（４０）左右基軸（４１、４１）の係止する左右凹部（２６、２６）を設けたことを特徴とする請求項１〜５の何れかに記載のカバーパネル付折畳み塵箱。
【請求項７】
前記垂直状左右支柱（１１、１１）頂部の対向面外側に設けたやや広幅左右軸受ブラケット（２０Ｂ、２０Ｂ）の、前記カバーパネル（４０Ｂ）側基枠（４２、４２）基端よりやや前側の左右基軸（４１Ｂ、４１Ｂ）を回動可能に設けた、前記左右基軸穴（２５ＢＢ、２５ＢＢ）の直上位よりやや奥側に、当該カバーパネル（４０Ｂ）の左右側機枠（４２、４２）基部の前記左右基軸（４１Ｂ、４１Ｂ）より前側の、左右係止ピン４３、４３を係止させる左右上凹部（２３Ｂ、２３Ｂ）を設け、当該やや広幅左右軸受ブラケット（２０Ｂ、２０Ｂ）の、前記左右上凹部（２３Ｂ、２３Ｂ）よりやや下位奥側に設けた支持ピン（４７、４７）に、前記左右上凹部（２３Ｂ、２３Ｂ）と前記カバーパネル（４０Ｂ）左右側基枠（４２、４２）の前記左右係止ピン（４３、４３）との係止状態を確保又は開放する、左右フック（４８、４８）の基部を回動可能に設けたことを特徴とする請求項１〜５の何れかに記載のカバーパネル付折畳み塵箱。
【手続補正２】
【補正対象書類名】明細書
【補正対象項目名】全文
【補正方法】変更
【補正の内容】
【発明の詳細な説明】
【発明の詳細な説明】
【０００１】
【技術分野】  この発明はカバーパネル付折畳み塵箱、殊に、道路脇、公園、広場等、所要の広さを確保できる適所に、当該カバーパネル付折畳み塵箱を略垂直状に設置でき、しかも、不使用時等には当該カバーパネル付折畳み塵箱を、その垂直状左右支柱の対向面間に、コンパクトに折畳み収容可能なカバーパネル付折畳み塵箱に関する。【０００２】
【背景技術】  従来の折畳み塵箱としては、例えば、次に掲げる特許文献１〜３がある。
【特許文献１】  実開２０００−２２６１０１号公報には、四隅に支柱を立設して、箱体を形成し、対向する一方の支柱を移動自在とし、対向する他方の支柱を固定支柱とし、底板は折り畳む方向に山形に折曲し得るように形成し、前記移動支柱を固定支柱の方へ移動させて折り畳み可能にした塵箱において、複数個に分割した側板同志をスライド可能に連結し、係る側板を前記底板の折り畳み部近傍の略中央部にロープで連結し、該ロープを略垂直状に上昇させた屋根部から塵箱外へ出して引張り、伸縮可能にしたものである。
【０００３】
【特許文献２】  実開平５−４２２０１号公報には、不使用時にはコンパクトに折り畳める一方、使用時には簡単な操作でボックス状塵箱として組付け、使用できるようにした折畳み式塵箱が記載される。このものは、下部に設置部を有する背面パネルと、同背面パネルと対向する浅い箱状をなし、下部に脚を有する正面パネルと、前後端が前記背面パネルと正面パネル内側に連結され、中間にヒンジを有する折畳み自在な一対の側パネルと、基端部が背面パネル若しくは正面パネルの内側下部に枢着された起伏自在な底パネルを備えるものである。
【０００４】
【特許文献３】  特開２０００−７１０１号公報には、底板を簡単な機構により、折曲するか持ち上げられる折畳み可能な塵箱が記載され、移動支柱を固定支柱側への移動により折畳み可能な塵箱を、前板若しくは後板を、前記両移動支柱若しくは固定支柱に回動し得るように連結し、該前板若しくは後板下部に底板持ち上げ具を連接して、前板若しくは後板を外側へ所定角度倒し、底板持ち上げ具を所定角度回転させ、底板を山形に折曲させるかスロープ状に上昇させて、折畳むものである。
【０００５】
【従来技術における解決すべき課題】
前記のような従来の折畳み塵箱、例えば、実開２０００−２２６１０１号報記載の折畳み式塵箱は、四隅に立設して箱体を形成し、対向する一方の支柱を移動自在にし、対向する他方の支柱を固定支柱とし、底板は折畳む方向に山形に折曲し得るように形成し、前記移動支柱を固定支柱側へ移動させる折畳み可能な塵箱について、複数個に分割した側板同志をスライド可能に連結した側板を、前記底板の折畳まれる部分近傍の略中央部にロープを連結し、該ロープを略垂直状に上昇させた屋根部から塵箱外に出して引張ることにより、伸縮可能な塵箱を不使用時にはかなりコンパクトに折畳める反面、その構成がかなり複雑になる。
【０００６】  前記実開平５−４２２０１号公報記載の折畳み可能な塵箱にあっては、下部に設置部を有する背面パネルと、該背面パネルと対向する浅い箱状をなし、下部に脚を有する正面パネルと、前後端が前記背面パネルと正面パネル内側に連結され、中間にヒンジを有する折り畳み自在な一対の側パネルと、基端部が背面パネル若しくは正面パネルの内側下部に枢着された起伏自在パネルを備えるため、不使用時にはコンパクトな形態をなし、使用時には簡単な操作でボックス状の塵箱として組付け、使用できるものの、その構成が相応に複雑になる。
【０００７】  特開２０００−７１０１号公報記載の折畳み可能な塵箱にあっては、移動支柱を固定支柱側へ移動させて、折畳み可能にした塵箱の前板若しくは後板を、前記移動支柱若しくは固定支柱に回動し得るように連結し、当該前板若しくは後板下部に底板持ち上げ具を連接し、前板若しくは後板を外側へ所定の角度倒すことにより、底板持ち上げ具を所定の角度回転させて、底板を山形に折曲させるかスロープ状に上昇させて折り畳めるものの、その構造がかなり複雑で、しかも、その底板が傾斜状に折畳まれる傾向にあることとの関連で、折畳み後の塵箱が必ずしも充分狭くはならない。
【０００８】  なお、実開２０００−２２６１０１号報記載の折畳み式塵箱、実開平５−４２２０１号公報記載の折畳み可能な塵箱、特開２０００−７１０１号公報記載の折畳み可能な塵箱の何れも、平らな地面に設けること前提にし、仮に、これ等を不平らな地面上に配設するとその操作が面倒になり、例えば、塵回収の際、その前面を全開し難くなる恐れさえあり、また、それらの何れも構造がかなり複雑になる外、当該折畳み塵箱を構成する側壁部及び前壁部を、夫々の左右支柱の対向面間に畳み収納することはできず、それらが夫々の左右支柱の対向面間の前側（外側）にはみ出すように折畳まれるに留まり、不使用時における夫々の占有面積が必ずしも充分狭くはならないという問題があった。
【０００９】  本発明者は、前記のような従来例の折畳み塵箱に残る課題を解決するために、構造が簡単で道路脇、公園、広場等の、所要の広さを確保できる適所に設置でき、不使用時には、垂直状左右支柱の対向面間にコンパクトに折畳み収用でき、しかも、取り扱いが容易で、ローコストで提供できるカバーネットロール付折り畳み塵箱を既に提案した（特願２００２−７１９０２号参照）が、その後の検討により、前記提案の垂直状左右支柱の頂部に設けたカバーネットロールに代えて、その垂直状左右支柱頂部の対向面外側に設けた、当該垂直状左右支柱の前後方向幅よりやや広幅の軸受ブラケットに、当該垂直状左右支柱の対向面間に折畳み収容可能にヒンジ付けした略長方形状左右側扉、及びそれと略同形同大の長方形状左右前扉の組み付けにより構成される平面視略長方形状塵収容領域の頂部開口の開閉と、当該垂直状左右支柱の対向面間に折畳み収容した略長方形状左右側扉及び長方形状左右前扉の前側に垂下して被覆保護する略長方形状カバーパネルを、その側機枠から側方へ突出する左右基軸により回動可能に設けることにより一層簡易な構造に、また、必要に応じて、前記垂直状左右支柱の中央部を垂直状壁面から伸びる水平状支持具等で支承することにより、当該垂直状左右支柱を支承するスイングベースの載地面が欠落する領域等でも、取付け可能なカバーパネル付折畳み塵箱を提供しようとするものである。
【００１０】
【課題の解決手段】
この発明は、前記のような課題を解決するため、道路脇、公園、広場等の塵箱設置可能な適所に、適宜間隔を存して配設する適宜高さの垂直状左右支柱１１、１１の対向面に、当該垂直状左右支柱１１、１１と略等高で、前記対向面間隔の略半分長の、略長方形状左右側扉３３、３３の垂直状一側縁をヒンジ３４、３４付けし、該略長方形状左右側扉３３、３３の垂直状他側縁に、該略長方形状左右側扉３３、３３と略同形同大の長方形状左右前扉３５、３５の垂直状一側縁を、該略長方形状左右側扉３３、３３の垂直状他側縁周り外側へ反転可能にヒンジ３６、３６付けし、該垂直状左右前扉３５、３５の垂直状他側縁に係脱可能な係止手段３８、３９を設けると共に、前記垂直状左右支柱１１、１１頂部の対向面外側に、その頂部を越えて上方へ伸び、当該垂直状左右支柱１１、１１の前後方向幅よりやや広幅の左右軸受ブラケット２０、２０：２０Ｂ、２０Ｂを設け、該やや広幅左右軸受ブラケット２０、２０：２０Ｂ、２０Ｂの下部で、前記垂直状左右支柱１１、１１の頂部よりやや上位において、前端部が当該左右軸受ブラケット２０、２０の当該垂直状左右支柱１１、１１の前面を僅かに越える水平状溝２５、又は当該やや広幅左右軸受ブラケット２０Ｂ、２０Ｂの当該垂直状左右支柱１１、１１前面を僅かに越える前部の基軸穴２５ＢＢに、前記略長方形状左右側扉３３、３３及び長方形状左右前扉３５、３５の組付けにより構成される、平面視略長方形状塵収容領域１０Ａの頂部開口の開閉と、前記垂直状左右支柱１１、１１の対向面間へ折畳み、収容した前記略長方形状左右側扉３３、３３及び長方形状左右前扉３５、３５の前側に垂下してそれらを被覆、保護するカバーパネル４０の基軸４１、４１：４１Ｂ、４１Ｂを回動可能に設けたカバーパネル付折畳み塵箱である。
【００１１】  また、道路脇、公園、広場等の塵箱設置可能な適所に、適宜間隔を存して配した左右スイングベース１５、１５の垂直状起立部１７、１７、又は当該塵箱設置可能な適所の垂直状壁面Ｖから、適宜間隔を存して伸びる水平状左右支持具５１、５１端部の垂直筒状部５２、５２の一方又は双方により、前記垂直状左右支柱１１、１１の下部又は中央部の一方又は双方を支承したものであり、また、前記垂直状左右支柱１１、１１の下部に、前記左右スイングベース１５、１５の垂直状起立部１７、１７を揺動調節して、当該左右スイングベース１５、１５をその載置面に添うように当接させて、当該カバーパネル付折畳み塵箱を垂直状に配設させるものである。
【００１２】  さらに、前記垂直状左右支柱１１、１１後側に設けた長方形状奥パネル３０の下枠、前記略長方形状左右側扉３３、３３の下枠、長方形状左右前扉３５、３５の下枠に、夫々の長さ方向に適宜間隔を存して設けた穴又は雌ねじ穴に、当該各下枠下縁と、前記カバーパネル付折畳み塵箱１０、４０Ｘ、５０載置面Ｇ間を略閉塞する可撓性スカートを取付けたものであり、また、前記垂直状左右支柱１１、１１後側上部の連結板１３の中央部内側に、当該垂直状左右支柱１１、１１の対向面に垂直状一側縁をヒンジ３４、３４付けした略長方形状左右側扉３３、３３の、当該垂直状左右支柱１１、１１の対向面間への折畳み収容状態における垂直状他側縁側を吸着するマグネット３１、３１を設けると共に、該垂直状左右支柱１１、１１の対向面間へ折畳み収容した前記略長方形状左右側扉３３、３３及び長方形状左右前扉３５、３５の前側に垂下して、それらを被覆、保護する前記カバーパネル４０の締めバンド３２端部を、前記垂直状左右支柱１１、１１上の左右バンド掛け１９、１９に係脱可能にしたものである。
【００１３】  また、前記垂直状左右支柱１１、１１頂部の対向面外側に設けた、やや広幅左右軸受ブラケット２０、２０の前下がり状頂縁２２、２２に、前記カバーパネル４０の左右側機枠４２、４２の基軸４１、４１よりやや中央側に設けた係止ピン４３、４３を、交互に係止させる上下の左右凹部２３、２３：２４、２４を、また、前記やや広幅左右軸受ブラケット２０、２０下位の前記水平状溝２５、２５下縁中央部に、前記カバーパネル４０左右基軸４１、４１の係止する左右凹部２６、２６を設けたものであり、また、前記垂直状左右支柱１１、１１頂部の対向面外側に設けたやや広幅左右軸受ブラケット２０Ｂ、２０Ｂの、前記カバーパネル４０Ｂ側基枠４２、４２基端よりやや前側の左右基軸４１Ｂ、４１Ｂを回動可能に設けた、前記左右基軸穴２５ＢＢ、２５ＢＢの直上位よりやや奥側に、当該カバーパネル４０Ｂの左右側機枠４２、４２基部の前記左右基軸４１Ｂ、４１Ｂより前側の、左右係止ピン４３、４３を係止させる左右上凹部２３Ｂ、２３Ｂを設け、当該やや広幅左右軸受ブラケット２０Ｂ、２０Ｂの、前記左右上凹部２３Ｂ、２３Ｂよりやや下位奥側に設けた支持ピン４７、４７に、前記左右上凹部２３Ｂ、２３Ｂと前記カバーパネル４０Ｂ左右側基枠４２、４２の前記左右係止ピン４３、４３との係止状態を確保し又は開放する、左右フック４８、４８の基部を回動可能に設けたものである。
【００１４】
【発明の作用】
請求項１の発明によれば、道路脇、公園、広場等の塵箱設置可能な適所に適宜間隔を存して配設する、適宜高さの垂直状左右支柱１１、１１の対向面に、当該対向面間隔の約半分長で、略長方形状左右側扉３３、３３の垂直状一側縁をヒンジ３４、３４付けし、その垂直状他側縁に略長方形状左右側扉３３、３３と略同形同大の長方形状左右前扉３５、３５の垂直状一側縁を、略長方形状左右側扉３３、３３の垂直状他側縁周りの外側へ反転可能にヒンジ３６、３６付けし、垂直状左右前扉３５、３５の垂直状他側縁に係脱可能な係止手段３８、３９により、垂直状左右支柱１１、１１の対向面間の前側に、平面視略長方形状塵収容領域１０Ａを組付け、その組付け状態を係止手段３８、３９により確保する一方、垂直状左右支柱１１、１１頂部の対向面外側に、その頂部を越えて上方へ伸び、垂直状左右支柱１１、１１の前後方向幅よりやや広幅の左右軸受ブラケット２０、２０：２０Ｂ、２０Ｂを設け、該左右左右軸受ブラケット２０、２０：２０Ｂ、２０Ｂに、その左右側機枠４２、４２の基軸４１、４１：４１Ｂ、４１Ｂを回動可能に設けたカバーパネル４０、４０Ｂにより、前記略長方形状左右側扉３３、３３及び長方形状左右前扉３５、３５の組付けによる平面視略長方形状塵収容領域１０Ａの頂部開口を開放して、該平面視略長方形状塵収容領域１０Ａ内に塵を投入した後、その頂部開口を同カバーパネル４０、４０Ｂにより閉塞し、次の塵投入に備える。
【００１５】  塵を投入した平面視略長方形状塵収容領域１０Ａの頂部開口を閉塞するカバーパネル４０を、左右側機枠４２、４２の左右基軸４１、４１：４１Ｂ、４１Ｂ周りの反時計方向（図２）に回動して、平面視略長方形状塵収容領域１０Ａ頂部開口の一部又は全部の開放に併せて、若しくは、同頂部開口を開放することなく前記長方形状左右前扉３５、３５を、略長方形状左右側扉他側縁のヒンジ３６、３６周り外側へ回動させるように開放して、当該塵収容領域１０Ａ内に投入された塵を、例えば、塵収集車等を当該塵収容領域１０Ａを構成する略長方形状左右側扉３３、３３の他側縁近傍まで近接させて当該塵収集車等に収容し、適所へ搬送する。そして、前記平面視略長方形状塵収容領域１０Ａの頂部開口が閉塞されていれば、カバーパネル４０、４０Ｂを、その左右側機枠４２、４２の左右基軸４１、４１：４１Ｂ、４１Ｂ回りの反時計方向へ回して開放し、必要に応じて当該塵収容領域１０Ａ内を清掃した後、略長方形状左右側扉３３、３３及び長方形状左右前扉３５、３５を、ヒンジ３４、３４：３６、３６回りに屈折させ、前記垂直状左右支柱１１、１１の対向面間に折畳み、収容する。
【００１６】  然る後、平面視略長方形状塵収容領域１０Ａの頂部開口を開閉するカバーパネル４０を、垂直状左右支柱１１、１１頂部の対向面外側に設けた、やや広幅の左右軸受ブラケット２０、２０：２０Ｂ、２０Ｂに支承した、左右基軸４１、４１：４１Ｂ、４１Ｂ周りの時計方向に回動して、垂直状左右支柱１１、１１の対向面間に折畳み収容した、略長方形状左右側扉３３、３３及び長方形状左右前扉３５、３５の前側に垂下させて、それらを被覆、保護し、当該カバーパネル付折畳み塵箱１０、４０Ｘ、４０Ｙの次回の使用に備える。
【００１７】  請求項２の発明によれば、道路脇、公園、広場等の塵箱設置可能な適所に適宜間隔を存して配設する左右スイングベース１５、１５の垂直状起立部１７、１７、又は同様な塵箱設置可能な適所の垂直状壁面Ｖから、適宜間隔を存して伸びる水平状左右支持具５１、５１端部の垂直筒状部５２、５２の一方又は双方により、前記垂直状左右支柱１１、１１の下部又は中央部の一方又は双方を垂直状に支承することにより、当該垂直状左右支柱１１、１１の対向面に、ヒンジ３４、３４：３６、３６を介して、前記略長方形状左右側扉３３、３３：長方形状左右前扉３５、３５を、屈折可能に取付けられ、しかも、垂直状左右支柱１１、１１の対向面間へのそれらの折畳み収容状態を確保する。
【００１８】  請求項３の発明によれば、垂直状左右支柱１１、１１の下部に、道路脇、公園、広場等の塵箱設置可能な適所に適宜間隔を存して配設する、左右一対のスイングベース１５、１５の垂直状起立部１７、１７を適度に揺動調節して取付けることにより、カバーパネル付折畳み塵箱１０、４０Ｘ、４０Ｙの載置面Ｇに、仮に、多少の傾斜等があり、又は、当該左右スイングベース１５、１５の載置面Ｇ、Ｇの傾斜に多少の相違がある場合等においても、当該垂直状左右支柱１１、１１に対する、前記垂直状起立部１７、１７の角度を揺動調節することにより、前記左右スイングベース１５、１５をその載地面Ｇ、Ｇの傾斜等に添うように載置しって、当該カバーパネル付折畳み塵箱１０、４０Ｘ、４０Ｙを、当該載置面Ｇ、Ｇに垂直状に配設する。
【００１９】  請求項４の発明によれば、垂直状左右支柱１１、１１後側の長方形状奥パネル３０の下枠、垂直状左右支柱１１、１１の対向面間に折畳み収容可能に設けた略長方形状左右側扉３３、３３の下枠、長方形状左右前扉３５、３５の下枠の夫々の下縁と、カバーパネル付折畳みゴミ箱１０、４０Ｘ、４０Ｙ載置面Ｇの隙間が、前記各下枠夫々の長さ方向に適宜間隔を存して設けた穴又は雌ねじ穴に取付けた可撓性スカートによりほぼ閉塞される外、カバーパネル付折畳みゴミ箱１０、４０Ｘ、４０Ｙ載置面Ｇに多少の傾斜や、凹凸等があっても、当該可撓性スカートの変形により吸収されるから、当該略長方形状塵収容領域１０Ａの頂部開口の前記カバーパネルによる閉塞との協同により、当該略長方形状塵収容領域１０Ａが充分閉塞されることにより、当該カバーパネル付折畳み塵箱周りの隙間部からの鳥、小鳥、猫等の侵入が阻止され、仮に、当該カバーパネル付折畳み塵箱内に、残飯等の混入する塵が投入されても、鳥等により食い散らされることがなく、しかも、前記略長方形状左右側扉３３、３３、長方形状左右扉３５、３５を、前記垂直状左右支柱１１、１１の対向面間へ無理なく折畳み、収容をする。
【００２０】  請求項５の発明によれば、垂直状左右支柱１１、１１後側上部の連結板１３内側中央部に設けたマグネット３１、３１により、前記垂直状左右支柱１１、１１の対向面に、垂直状一側縁をヒンジ３４、３４付けした略長方形状左右側扉３３、３３の、当該垂直状左右支柱１１、１１の対向面間に折畳み収容した垂直状他側縁側を吸着して、折畳み収容状態を確保すると共に、当該垂直状左右支柱１１、１１の頂部外側に設けたやや広幅左右軸受ブラケット２０、２０：２０Ｂ、２０Ｂにより、前記左右基軸４１、４１：４１Ｂ、４１Ｂの支承されるカバーパネル４０：４０Ｂが、当該垂直状左右支柱１１、１１の対向面間に折畳み収容した、前記略長方形状左右側扉３３、３３及び長方形状左右前扉３５、３５の前側へ垂下して被覆、保護し、さらに、係る垂下状態のカバーパネル４０：４０Ｂの外側から締付ける締めバンド３２端部を、前記垂直状左右支柱１１、１１の左右バンド掛け１９、１９に係け、前記マグネット３１、３１による、略長方形状左右側扉３３、３３他側縁側の吸着との協同により、当該長方形状左右側扉３３、３３及び長方形状左右前扉３５、３５の、当該垂直状左右支柱１１、１１の対向面間への折畳み、収容状態を安定的に確保する。また、必要に応じて、当該締めバンド３２の端部を、左右バンド掛け１９、１９から外して、垂下状態のカバーパネル４０：４０Ｂを、基軸４１、４１：４１Ｂ、４１Ｂ周りに回動させて上昇させると共に、垂直状左右支柱１１、１１の対向面間に折畳み収容した略垂直状左右側扉３３、３３及び垂直状左右前扉３５、３５の展開、組付けによる平面視長方形状塵収容領域１０Ａの確保等、前記各作用を繰り返す。
【００２１】  請求項６の発明によれば、垂直状左右支柱１１、１１頂部の対向面外側に設けた、左右軸受ブラケット２０、２０の下位で、当該垂直状左右支柱１１、１１頂部よりやや上位の水平状溝２５、２５の後部に、カバーパネル４０の左右基軸４１、４１を軽く押圧しながら、該左右軸受ブラケット２０、２０の前下がり状頂縁２２、２２上下の左右凹部２３、２３：２４、２４の一方に、当該カバーパネル４０の左右側機枠４２、４２基部の基軸４１、４１より、やや中央側に設けた係止ピン４３、４３を交互に係合させることにより、当該カバーパネル４０による前記平面視略長方形状塵収容領域１１０Ａの頂部開口の全開放状態又は少開放状態を確保し、当該略長方形状塵収容領域１０Ａに塵を投入した後、当該カバーパネル４０を前記左右基軸４１、４１の時計方向に回動させながら少し手前側に引いて、同左右基軸４１、４１を水平状溝２５、２５の中央下縁の凹部２６、２６に係止させてその状態を確保した後、当該カバーパネル４０をその自重により前記略長方形状塵収容領域１０Ａの頂部開口を閉塞し、当該前記略長方形状塵収容領域１０Ａへの次の塵の投入に備える。当該略長方形状塵収容領域１０Ａ内に適量の塵が投入された後等の適時、カバーパネル４０をその基軸４１、４１周りの反時計方向に廻して、略長方形状塵収容領域１０Ａの頂部開口を開放すると共に、前記略長方形状左右側扉３３、３３の他側縁に一側縁をヒンジ３６、３６付けした長方形状左右前扉３５、３５を、その外側へ回動して当該塵収容領域１０Ａの前側を開放し、同略長方形状塵収容領域１０Ａ内に投入された塵を、例えば、塵収集車等により適所へ搬出し、必要に応じて、当該塵収容領域１０Ａを清掃する。次いで、前記略長方形状左右側扉３３、３３及び長方形状左右前扉３５、３５を、垂直状左右支柱１１、１１の対向面間に折畳み収容した後、それらの前側にカバーパネル４０を引いて、左右基軸４１、４１を左右軸受ブラケット２０、２０の水平状溝２５、２５の前側まで移動させ、カバーパネル４０をその自重により、基軸４１、４１周りに回動させて、折畳み収容された長方形状左右前扉３５、３５の前側に垂下させ、それらを被覆、保護し、当該カバーパネル付折畳み塵箱１０の次回の使用に備える。
【００２２】  請求項７の発明によれば、そのカバーパネル４０Ｂの基軸２５Ｂ、２５Ｂを、当該垂直状左右支柱１１、１１頂部の対向面外側に設けたやや広幅左右軸受ブラケット２０Ｂ、２０Ｂ前部の、左右基軸穴２５ＢＢ、２５ＢＢ周りに回動させて、当該左右軸受ブラケット２０Ｂ、２０Ｂ上位の上左右凹部２３Ｂ、２３Ｂに、当該カバーパネル４０Ｂ側機枠４２、４２の左右係止ピン４３、４３を係合させることにより、当該カバーパネル４０Ｂが起立４０Ｂ４して、平面視略長方形状塵収容領域１０Ａの頂部開口を開放する。その際、左右フック４８、４８を左右支持ピン４７、４７周りの時計方向に回動させて、その端部を側機枠の係止ピン４３、４３に係合させて、当該カバーパネル４０Ｂの開放状態４０Ｂ４を確保し、仮に、当該カバーパネル４０Ｂ周りへの風圧、とりわけ、起立する当該カバーパネル４０Ｂ４背面側からの風圧等が発生しても、その開放状態が確保される。また、前記カバーパネル４０Ｂが、その自重により、前記垂直状左右支柱１１、１１頂部外側に設けたやや広幅軸受ブラケット２０Ｂ、２０Ｂの、基軸穴２５ＢＢ、２５ＢＢに支承された機軸４１、４１周りに回動して、前記垂直状左右支柱１１、１１の対向面間へ折畳み収容した、前記略長方形状左右側扉３３、３３及び長方形状左右前扉３５、３５の前側４０Ｂ１に垂下することにより、それらの被覆、保護状態が確保される。しかも、当該カバーパネル４０Ｂの何れの状態も、前記左右基軸４１Ｂ、４１Ｂの軸心位置は、前記左右軸受ブラケット２０Ｂ、２０Ｂ前部の左右基軸穴２５ＢＢ、２５ＢＢから移動しない。
【００２３】
【実施態様】
以下、この発明に係るカバーパネル付折畳み塵箱の第１〜４実施態様及びその変形例を、添付の図１〜１０を参照して説明する。なお、第１〜４実施態様及びそれらの変形例に共通する部分には、同一名称、同一符号を用いる。
【００２４】
【第１実施態様】
図１〜７はこの発明に係るカバーパネル付折畳み塵箱の第１実施態様を略示するもので、図１はその垂直状左右支柱１１、１１の対向面間にヒンジ３４、３４：３６、３６付けした、略長方形状左右側扉３３、３３と長方形状左右前扉３５、３５により、平面視略長方形状塵収容領域１０Ａを構成した状態における、カバーパネル付折畳み塵箱１０頂部開口の小開状態の正面説明図、図２はそのカバーパネル付折畳み塵箱１０頂部開口の小開状態の側面説明図、図３は垂直状左右支柱１１、１１頂部の、やや広幅軸受ブラケット２０の拡大側面説明図で、図３ではカバーパネル４０による塵収容領域１０Ａの頂部開口の閉塞状態４０２、小開状態４０３、全開状態４０４、及び略長方形状左右側扉３３、３３と長方形状左右前扉３５、３５の折畳み収容状態におけるカバーパネル４０の垂下（被覆）状態４０１、即ち、当該カバーパネル４０の各種動作状態の概略を併せて、破線で略示した。
【００２５】  図４はカバーパネル付折畳み塵箱１０の折畳み状態の側面説明図、図５はその折畳み状態の平面説明図、図６はその略長方形状左右側扉３３、３３と長方形状左右前扉３５、３５を、垂直状左右支柱１１、１１の対向面間に折畳み収容した状態の正面説明図で、同図６の左半分は、垂下状カバーパネル４０左半分の網目表示を省略し、上縁が先下がり状をなす略長方形状左側扉３３及び長方形状左前扉３５の折畳み状態を略示し、図７は略長方形状左側扉３３と長方形状左前扉３５のヒンジ３６接合部の拡大平面説明図である。
【００２６】
【第１実施態様の構造】
第１施態様のカバーパネル付折畳み塵箱１０は、平板状のスイングベース１５から略垂直状に起立する適宜高さ（例えば、約２０ｃｍ）の起立部１７を、垂直状に起立する適宜高さ（例えば、約９０〜１００ｃｍ）の一対の垂直状左右支柱１１、１１の下部を挿入し、適宜間隔を存して、例えば、道路脇、公園、広場等の、所要の広さの塵収容領域を備える適所に配設する。１３は適宜間隔を存して配設した垂直状左右支柱１１、１１（なお、この垂直状左右支柱１１、１１の前後方向幅は、例えば、約１０〜１５ｃｍ程度に構成する）の頂部後側を結ぶ連結板、１６はスイングベース１５を固定する垂直状アンカーボルト、１８は垂直状左右支柱１１、１１下部の、下固定ボルト１８Ｂの挿通穴を中心とする弧状溝、１８Ｂは（上下の）固定ボルトで、上固定ボルト１８Ｂは弧状溝１８を通して前記垂直状起立部１７にねじ込み、載置（地）面Ｇの多少の傾斜があれば、スイングベース１５、１５から起立する垂直状起立部１７、１７を、当該垂直状左右支柱１１、１１に対して適度に揺動調節して、スイングベース１５、１５を傾斜する載置面Ｇに当接させ、垂直状左右支柱１１、１１、ひいては、カバーパネル付折り畳塵箱を、載置面Ｇに傾斜があるか否か係わらず、略垂直状に支承可能にする。
【００２７】  １９は垂直状左右支柱１１、１１上のバンド掛で、後述の垂下状カバーパネル４０外側（図６では前側）に掛けた締めバンド３２の端部を掛けて、当該カバーパネル４０による垂直状左右支柱１１、１１の対向面間へ折畳み収容した略長方形状側扉３３、長方形状前扉３５を被覆、保護した状態を確保する。２０は垂直状左右支柱１１の頂部外側に設けた左右の軸受ブラケットで、左右軸受ブラケット２０はその前後方向（図３では左右方向）の幅を、その基部２１前後方向（図３では左右方向）の幅（この例では垂直状左右支柱１１の前後方向幅と略同幅）よりやや広く（図示例では約２倍）、しかも、少なくともその一部が、当該垂直状左右支柱１１の前側に突出するように構成する。２２は軸受ブラケット２０（広幅部）の前（図３では右）下がり状頂縁、２３、２４は左右の軸受ブラケット２０（広幅部）の前（図３では右）下がり状頂縁２２の上下凹部、２５は軸受ブラケット２０（広幅部）の下部に設けた水平状溝で、同水平状溝２５にはカバーパネル４０の側機枠４２の基部からその外側へ突出する基軸４１の左右両端部を、当該水平状溝２５の長さ方向へ移動が可能で、かつ、回動可能に挿入する。なお、この水平状溝２５は当然のことながら、図２から４に略示されるように、前記垂直状左右支柱１１、１１の頂部よりやや上位に位置すると共に、当該垂直状左右支柱１１、１１の前面より僅かに前側（図２〜４では右側）へ伸びるように設けられる。
【００２８】  ２６は水平状溝２５（この水平状溝２５は図２〜４のように、垂直状左右支柱１１、１１の頂面よりやや上位に位置する）の下縁中央の凹部、２７は軸受ブラケット２０の下部２１を垂直状支柱１１の頂部外側に取付け、固定する取付ねじ、３０は垂直状左右支柱１１の対向面間に設けた奥パネルで、奥パネル３０はラスボード等により所要強度を備える穴付板として構成でき、奥パネル３０によりカバーパネル付折畳み塵箱１０の奥（後）部が構成される。
【００２９】  ３３は一側縁（図１では奥側）が垂直状左右支柱１１と略等高で、適宜巾（例えば、垂直状左右支柱１１、１１の対向面間隔の略半分長）を有する略長方形状左右側扉で、この略長方形状左右側扉３３の垂直状一側縁は、垂直状左右支柱１１の互いに対向する内側（対向）面の後（図５では上）側に、屈折可能にヒンジ３４付けされる。この略長方形状左右側扉３３は、垂直状左右支柱１１の互いに対向する内側面、即ち、垂直状左右支柱１１の対向面から当該垂直状左右支柱１１の手前（図５では下）側に、略直角状（垂直状左右支柱１１の対向する内側面と平行する方向：図１の左側部では手前側）に屈折し、突出する。なお、図１、２、６では略長方形状左右側扉３３の頂辺が僅かに前下がり状をなすのものを略示したが、この略長方形状左右側扉３３の頂部は水平状をなすように構成することもできる（図示省略）。
【００３０】  ３５は長方形状左右前扉で、長方形状左右前扉３５の垂直状の一側縁（図１では左右側縁）が、前記略長方形状側扉３３の垂直状他側縁（図１では手前側）に、ヒンジ３６付けされ、図７の矢印付き弧状破線のように、前記略長方形状側扉３３の垂直状他側縁回りの外側へ折り返止可能に取付ける。３５Ｂ、３８、３９は長方形状左右前扉３５の垂直状他端縁に設けたガイド、係止具、掛金である。カバーパネル４０の側機枠４２の基部（図１では下部）に設けた基軸４１の端部が、軸受ブラケット２０の水平状溝２５に回動可能で、そ（水平状溝２５）の長さ方向に移動可能に支承される。
【００３１】  ４３はカバーパネル４０の側機枠４２の基端部から、その中央部よりに僅かに離間するように設けた係止ピンで、係止ピン４３は軸受ブラケット２０の前下がり状上縁２２の上凹部２３と、下凹部２４の何れかと交互に係合し、夫々の状態（図３の左上方へ起立する全開状態４０４、右上方へ僅かに起立する小開状態４０３）を確保する。なお、カバーパネル４０の側機枠４２基部から側方へ伸びる基軸４１が、当該軸受ブラケット２０下部の水平状溝２５の前側に移動する（図２、３の垂下状態のカバーパネル４０１の頂部に位置する基軸４１参照）と、当該カバーネット４０が図３の破線４０１（図４の破線４０１も同様）のように、基軸４１周りの時計方向に回動して、垂直状左右支柱１１の前側（図３、４では右側）に垂下４０１し、この垂下状態のカバーパネル４０１は、図５の模式平面図に見られるように、垂直状左右支柱１１、１１間に折畳み、収容された略長方形状左右側扉３３及び長方形状左右前扉３５の前側（図５では下側）に、その自重により垂下する。４５はカバーパネル４０の端縁部の左右（図５）に設けた取手である。
【００３２】  略長方形状左右側扉３３は、図１、２のように、垂直状左右支柱１１の対向面とほぼ平行し、同垂直状左右支柱１１の前側（図１では手前側、図２では右側）への突出と、図５、６の垂直状左右支柱１１、１１の対向面方向に向い、当該垂直状左右支柱１１、１１の対向面間に折畳み、収容可能にヒンジ３４、３４：３６、３６（長方形状左右前扉３５、３５用）付けする。
【００３３】
【第１実施態様の作用】
【カバーパネル付折畳み塵箱の配設】
カバーパネル付折畳み塵箱１０の全構成部材を、道路脇、公園、広場等の所要広さを確保できる適所へ搬送し、その載置面Ｇ上に左右のスイングベース１５、１５を適宜間隔で配し、必要があればアンカーボルト１６、１６で固定する。左右の水平状ベース１５、１５から起立する垂直状起立部１７、１７に、垂直状左右支柱（例えば、筒状）１１、１１の下部を挿入して垂直状に起立させる。仮に、載置（地）面Ｇに多少の傾斜があれば、前記垂直状起立部１７、１７を、垂直状左右支柱１１、１１に対して、下固定ボルト１８Ｂ周りに揺動調節して垂直状に支承し、上固定ボルト１８Ｂで弧状溝１８周りの適所に固定し、当該垂直状左右支柱１１、１１の垂直状支承状態を確保する。
【００３４】  垂直状左右支柱１１、１１対向面の後（図５では上）側に奥パネル３０を固定し、同垂直状左右支柱１１、１１の対向面の前（図５では下）側内側に、略長方形状左右側扉３３、３３の垂直状一側縁をヒンジ３４、３４付けし、その垂直状他側縁に長方形状左右前扉３５、３５の垂直状一側縁をヒンジ３６、３６付けし、垂直状左右支柱１１、１１の前（図５では下）側に、平面視長方形状塵収容領域１０Ａ（図１）を確保し｛この際、長方形状左右前扉３５、３５が略同一垂直面（垂直状左右支柱１１、１１の配設方向と略平行面）上に位置し、その垂直状端縁部のガイド３５Ｂの当接により｝、同一垂直面状をなす長方形状左右前扉３５、３５端縁部の係止具３８に掛金３９を掛けて、平面視略長方形状塵収容領域１０Ａを確保する。
【００３５】  垂直状左右支柱１１、１１の対向面間に折畳み、収容した略長方形状左右側扉３３、３３と長方形状左右前扉３５、３５の前側に、カバーパネル４０を垂下させ（図３〜６）、その前側に図６のように配した、例えば、ゴム製の締めバンド３２の端部を、垂直状左右支柱１１、１１上のバンド掛１９、１９に掛け、垂下状態のカバーパネル４０１により、当該垂直状左右支柱１１、１１の対向面間に折畳み、収容した略長方形状左右側扉３３、長方形状左右前扉３５を、その前側に垂下した当該カバーパネル４０により被覆、保護する。
【００３６】  また、垂直状左右支柱１１、１１の頂部の対向面外側に設けたやや幅広左右軸受ブラケット２０、２０の水平状溝２５、２５に、カバーパネル４０側機枠４２、４２の基部に設けた基軸４１、４１の端部を挿入し、同カバーパネル４０の側機枠４２、４２の基端から適度に内側に離間するよう、当該側機枠４２、４２の基部に設けた係止ピン４３、４３を、軸受ブラケット２０、２０の前下がり頂縁２２、２２の上凹部２３、２３又は下凹部２４、２４に係止可能に取付け、同カバーパネル４０を図３の破細線で略示するように、左上方に起立する当該略長方形状塵収容領域１０Ａ頂部開口の全開状態４０４（基軸４１は水平状溝２５の図３左側に位置し、係止ピン４３は上凹部２３に係合）、右上方へ僅かに上昇する同頂部開口の小開状態４０３（基軸４１は水平状溝２５の、図３の左側に位置し、係止ピン４３は下凹部２４に係合する）、同カバーパネル４０を僅かに右側へ移動して、その端部側が自重により下がって、略長方形状塵収容領域１０Ａの頂部開口を閉塞する状態４０２（基軸４１は水平状溝２５下縁中央の凹部２６に係合し、同カバーパネル４０は略長方形状側扉３３の前下がり状上縁に載置、当接し、係止ピン４３は軸受ブラケット２０の右側縁を右側に越える図３の最右側に位置し、カバーパネル４０の自重によりその頂部開口を閉塞する状態が確保される）、下方へ垂下し、垂直状左右支柱１１、１１の前側に位置し、当該垂直状左右支柱１１、１１の対向面間に折畳み、収容される略長方形状左右側扉３３、３３と長方形状左右前扉３５、３５の前側（図３、４では右側）へ垂下する状態４０１（基軸４１は水平状溝２５の図３右側に位置し、カバーパネル４０は同位置の基軸４１から垂下する）を、夫々確保する。
【００３７】
【折畳み塵箱の組付け】
垂直状左右支柱１１、１１の対向面間に折畳み収容した略長方形状左右側扉３３、３３と長方形状左右前扉３５、３５を展開して、垂直状左右支柱１１、１１の対向面間で、当該垂直状左右支柱１１、１１の前側に平面視略長方形状塵収容領域１０Ａを構成するように、このカバーパネル付折畳み塵箱１０を組付けるには、まず、取手４５で垂下状態のカバーパネル４０１を基軸４１周りの反時計方向に回して全開位置４０４、又は小開位置４０３にした後、係止具３８から掛金３９を外し、長方形状左右前扉３５、３５のガイド３５Ｂによる当接状態を解除して手前に引き、長方形状左前扉３５をヒンジ３６周りの反時計方向（図６）に回動させて引出し（長方形状右前扉３５は逆向き）、次いで、略長方形状左側扉３３をヒンジ３４周りの時計方向（同図）に回し、垂直状左支柱１１の内側（対向）面（図６では紙面と垂直）方向にする。
【００３８】  その後、長方形状左前扉３５をヒンジ３６周りの反時計方向に、さらに（図６の折畳み状態から約１８０°）回動させて図１の左半部のようなＬ状にする（図７も参照）。長方形状右前扉３５と略長方形状長方形状右前扉３３を、夫々のヒンジ３６、３４まわりの前記とは逆方向回動により、図１の右半部のような逆Ｌ状にし、ガイド３５Ｂの当接により、両者が同一垂直面状をなす、長方形状左右前扉３５、３５の隣接する垂直状他側縁の掛止具３８に掛金３９を掛け、これにより垂直状左右支柱１１、１１の対向面間の前側に、当該カバーパネル付き折畳み塵箱１０の、略長方形状塵収容領域１０Ａを確保し、直ちに塵を投入するか、又は当該折畳み塵箱１０頂部開口の全開状態のカバーパネル４０４を、取手４５で小開状態４０３にして、同略長方形状塵収容領域１０Ａに塵を投入した後、その頂部開口をカバーパネル４０で閉塞４０２する。
【００３９】  このカバーパネル付折畳み塵箱１０のカバーパネル４０は、略長方形状塵収容領域１０Ａの頂部開口の全開状態４０４、小開状態４０３、閉塞状態４０２の何れにあっても、当該カバーパネル４０の左右側基枠４２、４２基端部の基軸４１端部が、垂直状左右支柱１１、１１頂部の対向面外側に、その上方へ伸びるように設けた、当該垂直状左右支柱１１、１１の前後方向幅よりやや広幅軸受ブラケット２０、２０下部（前記垂直状左右支柱の頂面より上位：図２〜４参照）の、水平状溝２５に沿う前後動と、その中央部下縁の凹部２６への係合と、同カバーパネル４０側機枠４２の、基端から中央部よりに適度に離間し、側方へ突出する係止ピン４３、４３の、当該軸受ブラケット２０、２０の前下がり頂縁２２、２２の、上凹部２３、２３又は下凹部２４、２４との係合により、当該カバーパネル４０の前記各状態、即ち、略長方形状塵収容領域１０Ａの頂部開口の全開状態４０４、小開状態４０３、閉塞状態４０２等を夫々確保し、また、垂直状左右支柱１１、１１の対向面間に折畳み収容した略長方形状左右側扉３３、３３、長方形状左右前扉３５、３５の前側への垂下状態４０１が、何れも安定的に確保される。なお、カバーパネル４０の左右側機枠４２、４２上の係止ピン４３、４３は、当該カバーパネル４０による略長方形状塵収容領域１０Ａの、頂部開口の閉塞状態４０２では、実質上作用しない。
【００４０】
【カバーパネル付折畳み塵箱内の塵排出】
垂直状左右支柱１１、１１の対向面間で、その前側に組み付けられたカバーパネル付折畳み塵箱１０の、略長方形状塵収容領域１０Ａ内に収容した（投入された）塵の排出は、同一垂直面上に位置する長方形状左右前扉３５、３５の掛金３９を掛止具３８から外して、長方形状左右前扉３５、３５を、略長方形状左右側扉３３、３３他側縁のヒンジ３６、３６周りの時計方向（図１の左側扉３３）又は反時計方向（図１の右側扉３３）に、夫々の外側（図７では、下側）へ回動させて、当該カバーパネル付折畳み塵箱１０（略長方形状塵収容領域１０Ａ）の前側（図１）を開放し、若しくはこの左右前扉３３、３３の開放に併せてカバーパネル４０を小開状態４０３、又は全開状態４０４にした後、例えば、図示しない塵収集車等を当該平面視略長方形状塵収容領域１０Ａの、略長方形状左右側扉３３、３３の前側（図２の右側、ただし、この状態において、長方形状左右前扉３５、３５は、その外側へ開放される）に近接させるように誘導して、収容（排出）し、適所へ搬送して、所要の処理する。
【００４１】
【略長方形状左右側扉、長方形状左右前扉の垂直状左右支柱対向面間への折畳み収容】
塵排出後のこのカバーパネル付折畳み塵箱１０は、その略長方形状左右側扉３３、３３及び長方形状左右前扉３５、３５を、ヒンジ３４、３４：３６、３６周りに屈折させて、図５、６（図６では左半部：図６に図示しない右半部も略同様）のように垂直状左右支柱１１、１１の対向面間に折畳み、連結板１３の磁石３１により略長方形状左右側扉３３、３３の他側縁側を吸着して、その折畳み状態を確保する一方、長方形状左右前扉３５、３５の前（図５では下）側に垂下するカバーパネル４０１によりそれらを被覆、保護し、この垂下状態のカバーパネル４０１の前（図６では手前）側に掛けた締めバンド３２の端部を、垂直状左右支柱１１、１１上のバンド掛１９、１９に掛け、仮に、様々な方向からの風雨、時には不心得者の悪戯等に基づく不用意な外力が加えられても、長方形状左右側扉３３、長方形状左右前扉３５、垂下状態のカバーパネル４０１等をふらつかせることなく、それらの安定した被覆、保護状態を確保し、次回の使用に備える。
【００４２】  この平面視略長方形状塵収容領域１０Ａの頂部開口を閉塞するカバーパネル４０を、取手４５により回動させて当該頂部開口を小開状態４０３又は全開状態４０４にして塵を投入した後、当該カバーパネル４０により前記塵収容領域１０Ａの頂部開口を閉塞して次回の使用を待つのが通常ではあるが、仮に、この間におけるその頂部開口の閉塞状態をロックする必要があれば、例えば、当該カバーパネル４０による前記頂部開口の閉塞状態をロックする、適宜構造のロック手段（図示省略）を設ける。
【００４３】
【第１実施態様の変形例１】
第１実施態様の垂直状左右支柱１１、１１の後側に設けた長方形状奥（固定）パネル３０、略長方形状左右側扉３３、３３、長方形状左右前扉３５、３５及び垂直状左右支柱１１、１１の頂部に、前記軸受ブラケット２０、２０を介して回動可能に取付けたカバーパネル４０は、夫々の周縁部を略長方形状枠により構成し、この長方形状枠に、略同形ネットを張架し、又は複数の棒、管等を小間隔に配して構成し、若しくは、同長方形状枠に無数の穴付又は穴なし薄板を張架することにより、略長方形状パネルとして構成することができ（図示省略）、何れの略長方形状パネルにあっても、前記第１実施態様の対応する各パネルと略同様な作用をし、しかも、係る略長方形状パネル構成にすれば、所要強度を備えるカバーパネル付折畳み塵箱を、比較的軽量、ローコストで提供する。
【００４４】
【第１実施態様の変形例２】
また、図示しないが、前記長方形状奥パネル３０の下枠、略長方形状左右側扉３３、３３の下枠、長方形状左右扉３５、３５の下枠の夫々に、適宜間隔で穴又は雌ねじ穴を設ければ、仮に、前記垂直状左右支柱１１、１１間に固定又はヒンジ付けした、前記長方形状奥パネル３０の下枠、略長方形状左右側扉３３、３３の下枠、長方形状左右前扉３５、３５の下枠等の下縁と、当該カバーパネル付折畳みゴミ箱の載置面Ｇとの間に多少の隙間や凹凸部等がある場合、夫々の下部に相応の耐久性を備える可撓性スカート（図１、２の下部破線により、その配設状態の輪郭を略示）を取付けることにより、当該可撓性スカートによる当該隙間部を閉塞し、又は凹凸部との当接に基づく変形等により、両者間の隙間等を吸収できる外、前記塵収容領域１０Ａ内に収容した塵の当該隙間部からの不用意な流出を阻止でき、また、当該隙間部等からの鳥、小鳥、猫等の侵入を阻止し、ひいては、仮に、当該折畳み塵箱１０内に、残飯等の混入する塵が投入された場合にも、鳥等により食い散らされる恐れのないカバーパネル付折畳み塵箱を提供する。なお、前記のような可撓性スカートは、その下縁を当該カバーパネル付折畳み塵箱載置面Ｇの形状、例えば、傾斜状、波状等の適宜形状に即するように、剪み、カッターナイフ等の適宜工具により、当該折畳み可能な塵箱１０の設置領域現場で、必要、かつ、適切な修正等を簡易、迅速に行える。
【００４５】
【第２実施態様】
この発明の第２実施態様のカバーパネル付折畳み塵箱４０Ｘを、その垂直状左右支柱１１、１１の、対向面の頂部外側から、その上方へ伸びるやや広幅の軸受ブラケット２０Ｂを、その頂部外側にねじ２７、２７止めしたものの、要部側面図の図８を参照して説明する。なお、前記第１実施態様と共通する部分には同一名称、同一符号を用い、また、前記第１実施態様と実質上一致する構造の図示及び作用の説明等は省略する。
【００４６】  図８において、２２Ｂは垂直状左右支柱１１の対向面の頂部外側（図８では手前側）にねじ２７止めした広幅頭部２０Ｂの前下がり頂縁、２３Ｂは前下がり頂縁２２Ｂの上凹部、２５ＢＢは広幅頭部２０Ｂの前（図８では右）側下部に設けた基軸穴で、基軸穴２５ＢＢは垂直状左右支柱１１、１１の前（図８では右）側面の直上位よりやや前側に位置するように設ける。４０Ｂは塵収容領域１０Ａの頂部開口を閉塞するカバーパネル、４０ＢＢはカバーパネル４０Ｂの基部、４１Ｂはカバーパネル４０Ｂの側機枠（図１の符号「４２」賦与部参照）の端縁から、当該カバーパネル４０Ｂの基部４０ＢＢ（図８の符号「４０ＢＢ１」、「４０ＢＢ２」、「４０ＢＢ４」賦与部参照）の長さ相応量離間する位置に設けた基軸で、同基軸４１Ｂの端部が基軸穴２５ＢＢに挿入される。
【００４７】  このカバーパネル４０Ｂは基軸穴２５ＢＢに挿入された基軸４１Ｂ回りに回動し、同基軸穴２５ＢＢ内の基軸４１Ｂからカバーパネル４０Ｂが垂下する垂下状態４０Ｂ１、塵収容領域（図１の符号１０Ａ賦与部参照）の頂部開口を閉塞する閉塞状態４０Ｂ２、同塵収容領域１０Ａの頂部開口を全開し、カバーパネル４０Ｂの基軸４１Ｂ取付部からその中央部寄りに適度に離間する係止ピン４３が、軸受ブラケット２０Ｂの前下がり頂縁２２Ｂの、上凹部２３Ｂに係合する全開状態４０Ｂ４の、何れかの位置を占めるよう動作する。
【００４８】  ４０ＢＢはカバーパネル４０Ｂの基部で、この基部４０ＢＢにより、カバーパネル４０Ｂによる当該塵収容領域（１０Ａ）の頂部開口を閉塞する状態４０Ｂ２において、同カバーパネル４０Ｂ２の基部４０ＢＢ２により、当該塵収容領域１０Ａの、垂直状左右支柱１１、１１の対向面間前側に組付けられ（位置す）る、略長方形状塵収容領域（１０Ａ）の頂部開口を被覆し、第２実施態様の基軸４１Ｂ２はそのカバーパネル４０Ｂの側機枠基端より、その基部４０ＢＢ２の長さ相応量内側に設けられる。
【００４９】
【塵収容領域１０Ａ頂部開口の全開状態４０Ｂ４の確保】
第２実施態様のカバーパネル付折畳み塵箱４０Ｘの、略長方形状塵収容領域（１０Ａ）の頂部開口を、全開するはバーパネル４０Ｂの全開状態４０Ｂ４が、図８のように急角度で起立する場合（例えば、当該カバーパネル付き折畳み塵箱４０Ｘが垂直状壁面Ｖ：図９、１０参照：に近接する位置に配設される場合）において、仮に、係る全開状態４０Ｂ４のカバーパネル４０Ｂに、図８の左側から右側へ向う風圧等の外力が作用すれば、当該カバーパネル４０Ｂ４が、基軸４１Ｂ回りの時計方向に回動して、当該塵収容領域（１０Ａ）の頂部開口を閉塞する状態４０Ｂ２になる恐れがある。しかし、係る問題は、以下に略説するように、軸受ブラケット２０Ｂの前下がり頂縁２２Ｂの上凹部２３Ｂ周りに、支持ピン４７を設けると共に、同支持ピン４７回りに回動し、前記係止ピン４３に適時係合するフック４８を設けることにより解決される。
【００５０】  前記支持ピン４７は軸受ブラケット２０Ｂの前下がり頂縁２２Ｂの、上凹部２３Ｂよりやや左下部（図８）に設けられる。フック４８は支持ピン４７に回動可能に設けられ、同フック４８を支持ピン４７周りの時計方向（図８）に回して、前記上凹部２３Ｂに係合するカバーパネル４０Ｂ４の、側機枠（４２）上の係止ピン４３に同時に係合させて、フック４８によりその係合状態を確保する。このフック４８により、当該カバーパネル付折畳み塵箱４０Ｘの略長方形状塵収容領域（１０Ａ）の、頂部開口の全開状態４０Ｂ４を積極的に確保し、仮に、このカバーパネル４０Ｂ４の左側に右向き強風雨等の強圧が作用しても、当該全開状態のカバーパネル４０Ｂ４を時計方向（図８）に回動して、その頂部開口を不用意に閉塞状態４０Ｂ２にしない。なお、フック４８と係止ピン４３との係合状態を確保するため、当該フック４８をやや重くし、その自重により当該係合状態を確保するのがよい。
【００５１】  第２実施態様のカバーパネル４０Ｂは、その基軸４１Ｂを基軸穴２５ＢＢ内で回動させるもので、基軸４１Ｂの中心位置は変位せず（この点で前記第１実施態様のカバーパネル４０とは、その構造が、基軸４１の軸受ブラケット２０の水平状溝２５を介することにより、その基軸４１が前記実施態様１の水平状溝２５内を変位するものとは相違する）、第２実施態様では、図３の符号２４賦与部、即ち、第１実施態様のカバーパネル４０の小開状態４０３に対応する、塵収容領域（１０Ａ）頂部開口の小開状態はない。また、この傾斜面２２Ｂの前下がり角は、全開状態のカバーパネル４０Ｂ４の端部が、垂直状壁面Ｖ（図４参照）等に当接しない限り、図８に例示するものより充分緩やかな角度のものとして構成することもできる。なお、前記カバーパネル４０Ｂ４の全開状態を、その自重により確保できる限り、前記支持ピン４７及びフック４８を省略できる。その予の構造及び作用は、前記第１実施態様と略同様である。
【００５２】
【第３実施態様】
次に、この発明に係るカバーパネル付折畳み塵箱の第３実施態様４０Ｙを、その要部側面説明図の図９を参照して説明する。なお、前記第１実施態様と共通する部分には、同一名称、同一符号を用いる。
第３実施態様のカバーパネル付折畳み塵箱４０Ｙは、垂直状左右支柱１１、１１を、その配設領域の水平状載置面Ｇ上の、水平状ベース１５の起立部１７で支承する他、同配設領域周りの垂直状壁Ｖから延びる、例えば、アンカーボルト（図示省略）で取付けた水平状取付具５１端部の、垂直状穴５３付垂直筒状部５２に固定ボルト５４止めしたものである。なお、垂直状左右支柱１１、１１の対向面間に、略長方形状左右側扉（図１の符号「３３」賦与部参照）及び長方形状左右前扉（図１の符号「３５」賦与部参照）を折畳み、収容可能にする点は、前記第１実施態様と同様で、図９は前記第１実施態様の側面説明図の図４に対応する。
【００５３】  第３実施態様のカバーパネル付折畳み塵箱４０Ｙは、その垂直状左右支柱１１を、水平状等の載置面Ｇ上の、スイングベース１５の垂直状起立部１７で支承する外、垂直状壁面Ｖから略水平に延びる水平状支持具（例えば、アンカーボルトにより垂直状壁面Ｖに対して、水平状をなすように取付けるもの）５１端部の、垂直筒状部５２の垂直状穴５３に挿入してボルト５４止めし、当該垂直状左右支柱１１の必要な取付け強度を確保する。
なお、第３実施態様の垂直状左右支柱１１頂部に取付ける軸受ブラケット２０に代えて、前記第２実施態様の軸受ブラケット２０Ｂをそのまま使用することができる。その予の構造及び作用は、前記第１実施態様と略同様である。
【００５４】
【第４実施態様】
この発明に係るカバーパネル付折畳み塵箱の第４実施態様５０を、図１０の模式側面説明図を参照して説明する。なお、前記第１実施態様と共通する部分には、同一名称、同一符号を用いる。
第４実施態様のカバーパネル付折畳み塵箱５０は、その垂直状左右支柱１１、１１を、同折畳み塵箱５０配設領域の垂直状壁面Ｖから延びる水平状支持具５１端部の、垂直筒状部５２の垂直状穴５３に挿入し、固定ボルト５４止めすると共に、垂直状左右支柱１１の対向面間に、略長方形状左右側扉及び長方形状左右前扉（図１０では図示省略：図１の符号３３：３５賦与部参照）を折畳み、収納可能に装着する。
【００５５】  第４実施態様のカバーパネル付折畳み塵箱５０は、垂直状左右支柱１１、１１を当該カバーパネル付折畳み塵箱５０配設領域の、垂直状壁面Ｖから延びる水平状支持具５１（この例では、上下２箇所）端部の垂直状穴５３付垂直筒状部５２に取付けたもので、この垂直状左右支柱１１、１１の頂部に取付ける軸受ブラケット２０は、前記第１実施態様と同様納屋や広幅に構成する外、前記第２実施態様の軸受ブラケット２０Ｂと略同様な構造のものとして、構成することもできる。その予の構造及び作用は、前記第１実施態様と略同様である。
【００５６】
【効果】
この発明は、前記のような構成を有し、作用をするから、従前の折畳み塵箱と同様な効果を奏する外、次に掲げるような特有の効果を奏する。
【００５７】（１）  請求項１の発明によれば、道路脇、公園、広場等の塵箱設置可能な適所に適宜間隔を存して配設する、適宜高さの垂直状左右支柱の対向面に、当該対向面間隔の約半分長で、略長方形状左右側扉の垂直状一側縁をヒンジ付けし、その垂直状他側縁に略長方形状左右側扉と略同形同大の長方形状左右前扉の垂直状一側縁を、略長方形状左右側扉の垂直状他側縁周りの外側へ屈折可能にヒンジ付けし、垂直状左右前扉の垂直状他側縁の係脱可能な係止手段により、垂直状左右支柱対向面間の前側に、組付けた平面視略長方形状塵収容領域を確保する一方、垂直状左右支柱頂部の対向面外側に、その頂部を越えて上方へ伸び、当該垂直状左右支柱の前後方向幅よりやや広幅の左右軸受ブラケットに、左右側機枠基部から突出する基軸を回動するカバーパネルにより、略長方形状左右側扉及び長方形状左右前扉の組付けにより構成される平面視略長方形状塵収容領域の頂部開口を開閉可能にし、その開放する頂部開口から塵を投入した後、同頂部開口をカバーパネルにより閉塞し、次回の塵投入に備えるもので、平面視略長方形状塵収容領域内に収容された塵が、鳥、猫等の侵入により食い散らされない。
【００５８】（２）  カバーパネル付折畳み塵箱の平面視略長方形状塵収容領域内に塵を投入した後、必要に応じて適時、塵を投入した略長方形状塵収容領域の頂部開口を閉塞するカバーパネルを、左右側機枠の左右基軸周りの反時計方向に回動して、当該平面視略長方形状塵収容領域頂部開口の少開放又は全開放に併せて、若しくは、同頂部開口を開放することなく、長方形状左右前扉を、当該長方形状左右前扉端縁部の係止手段による係止状態を開放して、同長方形状前扉を略長方形状左右側扉の他側縁のヒンジ周り外側へ回動させて、その前側を開放し、例えば、塵収集車等を略長方形状塵収容領域近傍まで近接させて、開放された前側から当該塵収集車等へ排出し、適所へ搬出して、処理する。
【００５９】（３）  平面視略長方形状塵収容領域の頂部開口が閉塞されていれば、カバーパネルを、左右側機枠の左右基軸回りの反時計方向へ回して開放し、必要に応じて当該塵収容領域内を清掃した後、略長方形状左右側扉及び長方形状左右前扉を、垂直状左右支柱の対向面のヒンジ回りに屈折させて、その対向面間に折畳み、収容した後、略長方形状塵収容領域の頂部開口を開閉するカバーパネルを、垂直状左右支柱頂部の対向面外側に設けられ、その上方へ伸びると共に、垂直状左右支柱前面より僅かに前側に突出するやや広幅軸受ブラケットの水平状溝又は基軸穴に支承した、その左右基軸周りの時計方向に回動して、垂直状左右支柱の対向面間に折畳み収容した、略長方形状左右側扉及び長方形状左右前扉の前側に垂下させて、それらを被覆、保護し、当該カバーパネル付折畳み塵箱の次回の使用に備える。
【００６０】（４）  請求項２の発明によれば、道路脇、公園、広場等の塵箱設置可能な適所に適宜間隔を存して配設する左右のスイングベースの垂直状起立部、又は当該道路脇、公園、広場等のカバーパネル付折畳み塵箱の、設置可能な適所の垂直状壁面から、適宜間隔を存して伸びる水平状左右支持具端部の垂直筒状部の一方又は双方により、垂直状左右支柱の下部又は中央部の一方又は双方を支承し、当該垂直状左右支柱の対向面にヒンジにより略長方形状左右側扉を、また、その垂直状他端縁部にヒンジを介して長方形状左右前扉を屈折可能に取付けしたことにより、垂直状左右支柱の対向面間への折畳み収容状態を確保する。
【００６１】（５）  請求項３の発明によれば、前記垂直状左右支柱の下部に取り付ける、道路脇、公園、広場等の塵箱設置可能な適所に適宜間隔を存して配設する、左右一対のスイングベースの垂直状起立部を、前者に対して揺動調節可能に取付け、カバーパネル付折畳み塵箱の載置面に多少の傾斜があり、また、当該左右スイングベース載置面の傾斜に多少の相違がある場合においても、垂直状左右支柱に対する、左右スイングベースの垂直状起立部を揺動調節して、スイングベースを当該載置面に添うように載置し、当該カバーパネル付折畳み塵箱を、その正常動作に好適な垂直状に配設する。
【００６２】（６）  請求項４の発明によれば、垂直状左右支柱の後面側に設けた当方形状奥パネルの下枠、垂直状左右支柱の対向面間に折畳み収容可能に設けた略長方形状左右側扉の下枠、長方形状左右前扉の下枠の、夫々の下縁と、カバーパネル付折畳みゴミ箱載置面との隙間が、当該各下枠の長さ方向に適宜間隔を存して設けた穴又は雌ねじ穴に取付けた可撓性スカートにより略閉塞され、カバーパネル付折畳みゴミ箱載置面に多少の傾斜や、凹凸等があっても、当該可撓性スカートにより吸収され、各下枠下縁と載置面間に隙間を生じさせることなく略長方形状塵収容領域を無理なく組付け、また、略長方形状左右側扉、長方形状左右前扉の、垂直状左右支柱を無理なくその対向面間へ折畳み、収容する外、各下枠下縁と当該カバーパネル付折畳みゴミ箱載置面間に隙間が生じないことにより、当該隙間部からの鳥、小鳥、猫等の侵入が阻止され、カバーパネル付折畳み塵箱の頂部開口の、前記カバーパネルによる閉塞との協同により、仮に、当該カバーパネル付折畳み塵箱内に残飯等の混入する塵が投入されても、鳥等による食い散らし等の発生が効果的に阻止される。
【００６３】（７）  請求項５の発明によれば、垂直状左右支柱後側に設けた連結板内側中央部に設けたマグネットにより、垂直状左右支柱の対向面に、垂直状一側縁をヒンジ付けした略長方形状左右側扉の、垂直状左右支柱の対向面間へ折畳み収容した長方形状左右側扉の垂直状他側縁側を吸着して、折畳み収容状態を確保すると共に、垂直状左右支柱の頂部外側に設けたやや広幅左右軸受ブラケットにより、左右基軸の支承されるカバーパネルが、垂直状左右支柱間へ折畳み収容した略長方形状左右側扉及び長方形状左右前扉の前側へ垂下して、被覆、保護し、さらに、垂下状態のカバーパネルをその外側から締付ける締めバンドの端部を、垂直状左右支柱のバンド掛けに掛け、マグネットによる略長方形状左右側扉の他側縁側の吸着との協同により、略長方形状左右側扉及び長方形状左右前扉の、垂直状左右支柱の対向面間への折畳み、収容状態を安定的に確保する外、必要に応じて、締めバンド端部を、左右バンド掛けから外した後、垂下状態のカバーパネルを基軸周りに回動、上昇させると共に、垂直状左右支柱の対向面間に折畳み収容した略長方形状左右側扉及び長方形状左右前扉を展開、組付けて平面視略長方形状塵収容領域を簡易に構成し、係る操作の繰り返しにより、使用時には簡易に組付けて塵箱とし、不使用時にはコンパクトに折畳み収用して、占有面積を縮小できる等の効果を奏するカバーパネル付折畳み塵箱を提供する。
【００６４】（８）  請求項６の発明によれば、垂直状左右支柱頂部の対向面外側に、垂直状左右支柱の前後方向幅よりやや幅広の左右軸受ブラケットを、その前縁が当該垂直状左右支柱の前面よりやや前側に突出するように設け、この左右軸受ブラケットの前下がり状頂縁の上下左右凹部の一方と、カバーパネル左右側機枠基部の基軸よりやや中央側に設けた係支ピンの係合により、カバーパネルにより、平面視略長方形状塵収容領域域の頂部開口の小開放又は全開放状態を確保し、また、カバーパネルを少し手間へ引いて、その基軸を左右軸受ブラケット下部の、左右水平状溝中央部下縁の凹部に係止させた後、カバーパネルの自重による下降で、平面視略長方形状塵収容領域の頂部開口を閉塞し、係る操作の繰り返しで、カバーパネルにより平面視略長方形状塵収容領域の頂部開口の一部又は全部を開放して塵を投入した後、頂部開口カバーパネルにより閉塞する。また、略長方形状塵収容領域内に塵を投入した後等、適時、カバーパネルによる略長方形状塵収容領域の頂部開口の開放と、略長方形状左右側扉及び長方形状左右前扉の開放による、塵収容領域前側の開放により、平面止略長方形状塵収容領域内に投入した塵を、例えば、塵収集車等により適所へ搬出した後、略長方形状左右側扉及び長方形状左右前扉を、垂直状左右支柱の対向面間に折畳み収容し、それらの前側に、カバーパネルを、その左右基軸を左右軸受ブラケットの水平状溝の前側まで移動させながら、又は前側へ移動させた後、自重で垂下させて被覆、保護し、カバーパネル付折畳み塵箱の次回の使用に備える。
【００６５】（９）  請求項７の発明によれば、カバーパネルを垂直状左右支柱の前面直上の、広幅左右軸受ブラケット前部の基軸穴周りの回動と、左右軸受ブラケット上位の左右凹部への、カバーパネル側機枠の左右係止ピンの係合により、カバーパネルを起立させた、略長方形状塵収容領域の頂部開口の開放状態を、カバーパネル付折畳み塵箱周りへの風圧、とりわけ、起立するカバーパネルの背面側からの風圧等が発生しても確保し、また、垂直状左右支柱の対向面間へ折畳み収容した、略長方形状左右側扉及び長方形状左右前扉の前側へ、カバーパネルを垂下させて被覆、保護できる外、当該カバーパネルの何れの動作状態においても、カバーパネル付折畳み塵箱の左右基軸の軸心位置を、左右軸受ブラケット前部の左右基軸穴から移動しない、一層簡易な構成のものを提供する。
【００６６】
【図面の簡単な説明】
【図１】  この発明に係るカバーパネル付折畳み塵箱の第１実施態様における、略長方形状左右側扉と長方形状左右前扉により、平面視略長方形状のゴミ収容領域を組付け、その頂部開口をカバーパネルで僅かに開放する状態の正面説明図である。
【図２】  その平面視略長方形状塵収容領域の頂部開口を、カバーパネルで僅かに開放する状態の側面説明図である。
【図３】  その垂直状左右支柱頂部の、軸受ブラケットの拡大側面説明図で、図３では、カバーパネルによる塵収容領域頂部開口の閉塞状態、小開放状態、全開放状態、及びその折畳み状態における垂下するカバーパネルにより、それらの被覆、略状態を同時に略示した。
【図４】  そのカバーパネル付折畳み塵箱の、折畳み状態の側面説明図である。
【図５】  そのカバーパネル付折畳み塵箱の、折畳み状態の平面説明図である。
【図６】  そのカバーパネル付折畳み塵箱の、折畳み状態の正面説明図で、その左半部は垂下するカバーパネル左半部の、網目部の表示を省略し、垂直状左右支柱間に略長方形状左側扉及び長方形状左前扉を折畳んだ状態を略示した。
【図７】  その略長方形状左側扉と長方形状左前扉の、ヒンジ接合部の拡大平面説明図である。
【図８】  この発明に係るカバーパネル付折畳み塵箱の第２実施態様の、垂直状左右支柱頂部の、図３と同様な軸受ブラケットの拡大側面説明図で、カバーパネルによる平面視長方形状塵収容領域頂部開口の閉塞状態、全開放状態、及びその折畳み状態における同カバーパネル垂下による、それらの被覆、保護状態を、同時に略示した。
【図９】  この発明に係るカバーパネル付折畳み塵箱の第３実施態様の、折畳み収納状態の図４と同様な側面説明図で、その垂直状左右支柱の基部をスイングベースで支承すると共に、その中央部を水平状支持具端部の垂直筒状部で支承したものを略示した。
【図１０】  この発明に係るカバーパネル付折畳み塵箱の第４実施態様の、折畳み収納状態の、図４と同様な側面説明図で、その垂直状左右支柱の上下２箇所を水平状支持具端部の垂直筒状部により支承したものを略示した。
【００６７】
【符号の説明】
１０……カバーパネル付折畳み塵箱（第１実施態様）
１０Ａ……塵収容領域
１１……垂直状支柱
１３……連結板
１５……スイングベース
１６……アンカーボルト（垂直状）
１７……起立部
１８……弧状溝（垂直状支柱１１下部）
１８Ｂ……固定ボルト
１９……バンド（３２）掛
２０……軸受ブラケット（幅広頭部：第１実施態様）
２０Ｂ……軸受ブラケット（幅広頭部：第２実施態様）
２１……軸受ブラケット２０の下部
２２……前下り頂縁（軸受ブラケット２０の幅広頭部）
２２Ｂ……前下り頂縁（軸受ブラケット２０Ｂの幅広頭部）
２３……上凹部（前下り頂縁２２：実施態様）
２３Ｂ……上凹部（前下り頂縁２２Ｂ上部：第２実施態様）
２４……下凹部前（下り頂縁２２）
２５……水平状溝（広幅頭部２０）
２５ＢＢ……基軸穴（第２実施態様）
２６……凹部（水平状溝２５下縁）
２７……ねじ
３０……奥（固定）パネル
３１……マグネット
３２……締めバンド（垂下状カバーパネル４０、４０Ｂ用）
３３……略長方形状側扉
３４……ヒンジ
３５……長方形状前扉
３５Ｂ……ガイド（長方形状前扉３５の端縁部）
３６……ヒンジ
３８……係止具
３９……掛金
４０……カバーパネル（第１実施態様）
４０Ｂ……カバーパネル（第２実施態様）
４０ＢＢ……カバーパネル４０Ｂの基部
４０Ｘ……カバーパネル付折畳み塵箱（第２実施態様）
４０Ｙ……カバーパネル付折畳み塵箱（第３実施態様）
４１……基軸（第１実施態様）
４１Ｂ……基軸（第２実施態様）
４２……側機枠（カバーパネル４０）
４３……係止ピン（側機枠４２基部寄り）
４５……取手（カバーパネル４０）
４７……支持ピン（フック４８）
４８……フック（係止ピン４３用）
５０……カバーパネル付折畳み塵箱（第４実施態様）
５１……水平状支持具（第３、４実施態様）
５２……垂直筒状部（第３、４実施態様）
５３……垂直状穴（第３、４実施態様）
５４……固定ボルト（第３、４実施態様）
Ｇ……地面
Ｖ……垂直状壁面
【手続補正３】
【補正対象書類名】図面
【補正対象項目名】図１
【補正方法】変更
【補正の内容】
【図１】
2005047706.tif 000013
【手続補正４】
【補正対象書類名】図面
【補正対象項目名】図２
【補正方法】変更
【補正の内容】
【図２】
2005047706.tif 000014
【手続補正５】
【補正対象書類名】図面
【補正対象項目名】図５
【補正方法】変更
【補正の内容】
【図５】
2005047706.tif 000015
【手続補正６】
【補正対象書類名】図面
【補正対象項目名】図７
【補正方法】変更
【補正の内容】
【図７】
2005047706.tif 000016